(57)【要約】【課題】  解析困難な付加情報を情報記録媒体に記録し、また再生する装置、媒体、および方法を提供する。【解決手段】  付加データの記録処理において、付加データ挿入位置の先行データ領域に基づく状態、例えばパリティと付加データの構成ビットに応じて適用する変換テーブルをメイン変換テーブルとするかサブ変換テーブルとするかを変更する。例えば、先行データ領域パリティが偶数であり、付加データビット値が［０］の場合はサブ、付加データビット値が［１］の場合は、メイン変換テーブルからコードワードを選択する。付加データ挿入位置の先行データ領域パリティが奇数であり、付加データビット値が［０］の場合はメイン、ビット値が［１］の場合は、サブ変換テーブルからコードワードを選択する。コンテンツ再生時には、付加データ記録領域を含むデータ領域のパリティが偶数か奇数かを判別するのみで付加データビット検出が可能となる。【選択図】  図１７
2005071489.tif 000002
【特許請求の範囲】
【請求項１】
情報記録媒体にデータを記録する情報記録処理装置において、
異なるコードワードデータを格納したメイン変換テーブルまたはサブ変換テーブルから選択的にコードワードを抽出し、抽出したコードワードに基づいてデータを変調するデータ変調部と、
前記変調されたデータを記録する記録部と、
付加データ構成ビット値と、付加データ記録領域に先行するデータ領域の状態とに基づいて、付加データ記録領域に対応する変調データとして、前記メイン変換テーブルから抽出したコードワードを選択するか、サブ変換テーブルから抽出したコードワードを選択する制御部と、
を有することを特徴とする情報記録処理装置。
【請求項２】
前記先行するデータ領域の状態は、先行データ領域のパリティが偶数であるか、奇数であるかの状態値であり、
前記情報記録処理装置は、
ａ．前記付加データの構成ビット値が０であるか１であるか、および、
ｂ．前記付加データ記録部の先行データ領域のパリティが偶数であるか、奇数であるか、
上記ａ．ｂ．２つの条件に基づいて、付加データ記録領域に対応する変調データをメイン変換テーブルから抽出したコードワードとして設定するか、サブ変換テーブルから抽出したコードワードとして設定するかを決定する構成であることを特徴とする請求項１に記載の情報記録処理装置。
【請求項３】
前記情報記録処理装置は、
前記記録データに対して前記メイン変換テーブルから取得されるコードワードのパリティと、前記記録データに対して前記サブ変換テーブルから取得されるコードワードのパリティとが、偶数と奇数、または奇数と偶数の異なるパリティとなる記録データを、前記付加データ記録領域に設定する記録データとして設定する構成であることを特徴とする請求項１に記載の情報記録処理装置。
【請求項４】
前記情報記録処理装置は、
入力８ビットデータを、前記メイン変換テーブルまたはサブ変換テーブルに基づく変換処理により１６ビットコードワードに変換する処理を実行する構成であり、
前記サブ変換テーブルは、一部の入力８ビットデータに対応するコードワードのみを格納した構成であり、
前記情報記録処理装置は、
前記付加データの記録領域に設定する記録データを、前記サブ変換テーブルに基づく変換処理が可能な８ビットデータとして設定する構成であることを特徴とする請求項１に記載の情報記録処理装置。
【請求項５】
前記情報記録処理装置は、
前記付加データを、
前記情報記録媒体に格納するコンテンツの暗号鍵情報、暗号鍵生成情報、コンテンツ再生制御情報、コンテンツコピー制御情報の少なくともいずれかの情報の構成情報として設定する構成であることを特徴とする請求項１に記載の情報記録処理装置。
【請求項６】
前記付加データの構成ビットの格納位置は、データ変調過程で生成されるデータフレーム中のリザーブフィールド内に設定する構成であることを特徴とする請求項１に記載の情報記録処理装置。
【請求項７】
前記コードワード選択に基づく変調処理は、ランレングス規則としてのＲＬＬ（２，１０）を満足するデータ変換処理として実行する構成であることを特徴とする請求項１に記載の情報記録処理装置。
【請求項８】
情報記録媒体に格納された情報の再生処理を実行する情報再生処理装置において、
情報記録媒体から読み取られたデータの復調処理を実行する復調部と、
少なくとも付加データの記録領域を含む記録データ領域において、記録データの状態値算出処理を実行し、該状態値算出結果に基づいて、付加データの記録領域に格納された記録情報としての付加データ構成ビット情報の取得処理を実行する付加データデコード部と、
を有することを特徴とする情報再生処理装置。
【請求項９】
前記記録データの状態値は、付加データの記録領域を含む記録データ領域におけるパリティであり、該パリティが、偶数であるか、奇数であるかの状態値に基づいて、前記付加データの構成ビット値が０であるか１であるかの識別処理を実行する構成であることを特徴とする請求項８に記載の情報再生処理装置。
【請求項１０】
前記情報再生処理装置は、
付加データの記録領域および付加データ記録領域の先行データ領域全体の状態値算出処理を実行し、該状態値算出結果に基づいて、付加データの記録領域に格納された記録情報としての付加データ構成ビット情報の取得処理を実行する構成を有することを特徴とする請求項８に記載の情報再生処理装置。
【請求項１１】
前記報記録媒体に格納されたデータは、異なるコードワードデータを格納したメイン変換テーブルまたはサブ変換テーブルから選択的に抽出されたコードワードに基づく記録データであり、
前記情報再生処理装置は、付加データの記録領域に記録されたコードワードがメイン変換テーブルから取得したコードワードであるか、またはサブ変換テーブルから取得したコードワードであるかを判別することによって、前記付加データの構成ビット値が０であるか１であるかの識別処理を実行する構成であることを特徴とする請求項８に記載の情報再生処理装置。
【請求項１２】
前記情報再生処理装置は、
予め設定された復調データを取得したことを条件として、該復調データの取得領域を付加データ格納領域として識別し、少なくとも検出された付加データの記録領域を含む記録データ領域において、記録データの状態値算出処理を実行し、該状態値算出結果に基づいて、付加データのビット情報を取得する処理を実行する構成を有することを特徴とする請求項８に記載の情報再生処理装置。
【請求項１３】
前記予め設定された復調データは、該復調データに対して前記メイン変換テーブルに設定されたコードワードのパリティと、前記復調データに対して前記サブ変換テーブルに設定されたコードワードのパリティとが、偶数と奇数、または奇数と偶数の異なるパリティとなる復調データであることを特徴とする請求項１２に記載の情報再生処理装置。
【請求項１４】
異なるコードワードデータを格納したメイン変換テーブルまたはサブ変換テーブルから選択的に抽出したコードワードに基づいて生成する変調データに基づく記録データを格納した情報記録媒体であり、
付加データの記録領域には、付加データの構成ビット値と、付加データ記録領域の先行するデータ領域の状態とに基づいて選択された、前記メイン変換テーブルまたはサブ変換テーブルの一方のコードワードに基づく変調データが記録された構成を有することを特徴とする情報記録媒体。
【請求項１５】
前記付加データ記録位置の先行するデータ領域の状態は、先行データ領域のパリティが偶数であるか、奇数であるかの状態値であり、
前記情報記録媒体は、
ａ．前記付加データの構成ビット値が０であるか１であるか、および、
ｂ．前記付加データ記録部の先行データ領域のパリティが偶数であるか、奇数であるか、
上記ａ．ｂ．２つの条件に基づいて、前記メイン変換テーブルまたはサブ変換テーブルの一方のコードワードが選択されて、該選択コードワードに基づく変調データが記録された構成を有することを特徴とする請求項１４に記載の情報記録媒体。
【請求項１６】
前記情報記録媒体は、
記録データに対して前記メイン変換テーブルから取得されるコードワードのパリティと、前記記録データに対して前記サブ変換テーブルから取得されるコードワードのパリティとが、偶数と奇数、または奇数と偶数の異なるパリティとなる記録データを、前記付加データの記録位置に設定する記録データとして設定した構成であることを特徴とする請求項１４に記載の情報記録媒体。
【請求項１７】
前記付加データは、
前記情報記録媒体に格納するコンテンツの暗号鍵情報、暗号鍵生成情報、コンテンツ再生制御情報、コンテンツコピー制御情報の少なくともいずれかの情報の構成情報であることを特徴とする請求項１４に記載の情報記録媒体。
【請求項１８】
情報記録媒体にデータを記録する情報記録処理方法であり、
異なるコードワードデータを格納したメイン変換テーブルまたはサブ変換テーブルから選択的にコードワードを抽出し、該抽出したコードワードに基づいてデータを変調する変調ステップと、
付加データ構成ビット値と、付加データ記録領域に先行するデータ領域の状態とを判別する判別ステップと、
前記判別ステップにおける判別結果に基づいて、付加データ記録領域に対応する変調データとして、前記メイン変換テーブルから抽出したコードワードを選択するか、サブ変換テーブルから抽出したコードワードを選択するかを決定する適用変換テーブル決定ステップと、
前記適用変換テーブル決定ステップにおいて決定した変換テーブルから取得するコードワードに基づく変調データを生成しデータ記録処理を実行するステップと、
を有することを特徴とする情報記録処理方法。
【請求項１９】
前記付加データ記録領域の先行するデータ領域の状態は、先行データ領域のパリティが偶数であるか、奇数であるかの状態値であり、
前記判別ステップは、
ａ．前記付加データの構成ビット値が０であるか１であるか、および、
ｂ．前記付加データ記録部の先行データ領域のパリティが偶数であるか、奇数であるか、
上記ａ．ｂ．２つの条件を判別するステップであり、
前記適用変換テーブル決定ステップは、
上記ａ．ｂ．２つの条件の判別結果に基づいて、付加データ記録領域に対応する変調データをメイン変換テーブルから抽出したコードワードとして設定するか、サブ変換テーブルから抽出したコードワードとして設定するかを決定するステップであることを特徴とする請求項１８に記載の情報記録処理方法。
【請求項２０】
前記情報記録処理方法は、さらに、
該記録データに対して前記メイン変換テーブルから取得されるコードワードのパリティと、前記記録データに対して前記サブ変換テーブルから取得されるコードワードのパリティとが、偶数と奇数、または奇数と偶数の異なるパリティとなる記録データを、前記付加データ記録領域に設定する記録データとして設定するステップを含むことを特徴とする請求項１８に記載の情報記録処理方法。
【請求項２１】
前記情報記録処理方法は、さらに、
前記付加データの記録領域に設定する記録データを、前記サブ変換テーブルに基づく変換処理が可能な８ビットデータとして選択するステップを含むことを特徴とする請求項１８に記載の情報記録処理方法。
【請求項２２】
前記付加データは、
前記情報記録媒体に格納するコンテンツの暗号鍵情報、暗号鍵生成情報、コンテンツ再生制御情報、コンテンツコピー制御情報の少なくともいずれかの情報の構成情報であることを特徴とする請求項１８に記載の情報記録処理方法。
【請求項２３】
前記情報記録処理方法は、さらに、
前記付加データの構成ビットの格納位置を、データ変調過程で生成されるデータフレーム中のリザーブフィールド内に設定する処理を実行するステップを含むことを特徴とする請求項１８に記載の情報記録処理方法。
【請求項２４】
前記情報記録処理方法におけるデータ変調処理は、
ランレングス規則としてのＲＬＬ（２，１０）を満足するデータ変換処理として実行することを特徴とする請求項１７に記載の情報記録処理方法。
【請求項２５】
情報記録媒体に格納された情報の再生処理を実行する情報再生処理方法であり、
少なくとも付加データの記録領域を含む記録データ領域において、記録データの状態値算出処理を実行する状態値算出ステップと、
前記状態値算出ステップにおける状態値算出結果に基づいて、付加データの記録領域に格納された記録情報としての付加データの構成ビット情報の取得処理を実行する付加情報解析ステップと、
を有することを特徴とする情報再生処理方法。
【請求項２６】
前記記録データの状態値は、付加データの記録領域を含む記録データ領域におけるパリティであり、
前記状態値算出ステップは、
前記パリティが、偶数であるか、奇数であるかの状態値を算出し、
前記付加情報解析ステップは、
前記パリティに基づいて、前記付加データの構成ビット値が０であるか１であるかの識別処理を実行することを特徴とする請求項２５に記載の情報再生処理方法。
【請求項２７】
前記状態値算出ステップは、
付加データの記録領域および付加データ記録領域の先行データ領域全体の状態値算出処理を実行するステップであり、
前記付加情報解析ステップは、
前記状態値算出結果に基づいて、付加データの記録領域に格納された記録情報としての付加データ構成ビット情報の取得処理を実行するステップであることを特徴とする請求項２５に記載の情報再生処理装置。
【請求項２８】
前記報記録媒体に対する記録データは、異なるコードワードデータを格納したメイン変換テーブルまたはサブ変換テーブルから選択的に抽出されたコードワードに基づく記録データであり、
前記付加情報解析ステップは、
付加データの記録領域に記録されたコードワードがメイン変換テーブルから取得したコードワードであるか、またはサブ変換テーブルから取得したコードワードであるかを判別することによって、前記付加データの構成ビット値が０であるか１であるかの識別処理を実行するステップであることを特徴とする請求項２５に記載の情報再生処理方法。
【請求項２９】
前記情報再生処理方法は、さらに、
予め設定された復調データを取得したことを条件として、該復調データの取得領域を付加データ格納領域として識別し、少なくとも検出された付加データの記録領域を含む記録データ領域において、記録データの状態値算出処理を実行し、該状態値算出結果に基づいて、付加データのビット情報を取得する処理を実行することを特徴とする請求項２５に記載の情報再生処理方法。
【請求項３０】
前記予め設定された復調データは、該復調データに対して前記メイン変換テーブルに設定されたコードワードのパリティと、前記復調データに対して前記サブ変換テーブルに設定されたコードワードのパリティとが、偶数と奇数、または奇数と偶数の異なるパリティとなる復調データであることを特徴とする請求項２９に記載の情報再生処理方法。
【請求項３１】
情報記録媒体に対する記録データの変調処理として、異なるコードワードデータを格納したメイン変換テーブルまたはサブ変換テーブルから選択的にコードワードを抽出し、該抽出したコードワードに基づくデータ記録処理を実行するコンピュータ・プログラムであり、
付加データの記録処理において、付加データ構成ビット値と、付加データ記録領域の先行するデータ領域の状態とを判別する判別ステップと、
前記判別ステップにおける判別結果に基づいて、付加データ記録領域に対応する変調データとして、前記メイン変換テーブルから抽出したコードワードを選択するか、サブ変換テーブルから抽出したコードワードを選択するかを決定する適用変換テーブル決定ステップと、
前記適用変換テーブル決定ステップにおいて決定した変換テーブルから取得するコードワードに基づく変調データを生成しデータ記録処理を実行するステップと、
を有することを特徴とするコンピュータ・プログラム。
【請求項３２】
情報記録媒体に格納された情報の再生処理を実行するコンピュータ・プログラムであり、
少なくとも付加データの記録領域を含む記録データ領域において、記録データの状態値算出処理を実行する状態値算出ステップと、
前記状態値算出ステップにおける状態値算出結果に基づいて、付加データの記録領域に格納された記録情報としての付加データの構成ビット情報の取得処理を実行する付加情報解析ステップと、
を有することを特徴とするコンピュータ・プログラム。
【発明の詳細な説明】
【技術分野】
【０００１】
本発明は、情報記録処理装置、情報再生処理装置、情報記録媒体、および方法、並びにコンピュータ・プログラムに関する。さらに詳細には、例えば、画像データ、音楽データ等のコンテンツを記録するＤＶＤ等の情報記録媒体に、付加情報、例えばコンテンツの復号処理に適用する鍵情報、コンテンツ再生制御情報、コピー制御情報など、様々な付加情報を解析困難な形態で記録し、読み取ることを可能とした情報記録処理装置、情報再生処理装置、情報記録媒体、および方法、並びにコンピュータ・プログラムに関する。
【背景技術】
【０００２】
音楽データ、画像データなどのデータを記録媒体にデジタルデータとして記録する際には、所定の記録フォーマットに従った記録処理が行われる。例えば、記録対象のオリジナルデータに対して誤り検出／訂正符号が付加され、特定のデータ記録再生処理に応じたフォーマットに変換（コーディング）されて記録されることになる。よく知られた変調方式としてＥＦＭ（Eight to Fourteen Modulation）変調方式がある。ＥＦＭ変調は、入力８ビットを１４ビットに符号変換する変調処理である。例えばＣＤ記録に用いられるＥＦＭ変調方式では、入力８ビットを１４ビットのインフォメーションビットに変換し、さらに３ビットのマージンビットを介して結合したビット情報を生成氏、さらに、［０］または［１］の値に応じてパルスの正負を反転させるＮＲＺＩ(Non Return to Zero Inverted)信号として記録媒体に記録される。
【０００３】
さらに、高密度化記録の可能なＤＶＤ(Digital Versatile Disc)においては、マージンビットを適用することなく、入力８ビットを直接１６ビットに変換する８−１６変調方式が適用される。この変調方式は、ＥＦＭｐｌｕｓ変調方式と呼ばれる。ＥＦＭｐｌｕｓ変調におけるコード変換には、変換テーブルが用いられ、入力８ビットに基づいて、変換テーブルから１６ビットのコードワードが取得され、取得した１６ビットのコードワードに基づいて生成されたデータがＤＶＤ等の記録媒体に記録される。
【０００４】
ところで、ＤＶＤのような情報記録媒体に対して格納するコンテンツとして、例えば、映画、音楽データなどがある。音楽データ、画像データ等、多くのコンテンツは、一般的にその作成者あるいは販売者に頒布権等が保有されている。従って、これらのコンテンツの配布に際しては、一定の利用制限、すなわち、正規なユーザに対してのみ、コンテンツの利用を許諾し、許可のない複製等が行われないようにする構成をとるのが一般的となっている。
【０００５】
ＤＶＤ、あるいは、さらに高容量記録可能な青色レーザ記録方式を用いた記録媒体等の大容量型記録媒体は、１枚の媒体に例えば映画１本〜数本分のデータを記録することが可能である。このようにコンテンツを容易にデジタル情報として記録することが可能となるに従って、不正コピーの氾濫という問題も多く発生することになり、コンテンツ著作権者、頒布権者の利益の阻害という問題が大きくなっている。このような現状から、いかに不正コピーを防止し、著作権者、頒布権者の利益の保護を図るかが重要な課題となっている。
【０００６】
このようなコンテンツの不正利用を防止するため、ＤＶＤ等の情報記録媒体に格納するコンテンツを暗号化コンテンツとして記録するとともに、その暗号化コンテンツの利用に適用する暗号鍵情報、あるいは暗号鍵の生成に必要となる情報や、あるいは、コンテンツの再生制御、コピー制御などの各種制御情報を秘密情報として情報記録媒体に格納する構成が提案されている。ユーザの再生装置において実行する再生処理プログラムが、再生対象コンテンツに対応する鍵等の秘密情報を読み取り、読み取った秘密情報に従ってコンテンツを復号し、また再生制御情報に従ったコンテンツ利用を実行させるという構成である。
【０００７】
秘密情報の埋め込み処理構成を開示した従来技術として、例えば特許文献１には、ＥＦＭ変調データの接続ビット（マージンビット）を適用して特殊データを埋め込む構成が開示されている。また、特許文献２には、変調処理に複数の変換テーブルを適用する構成において、再生時に、変調に適用した変換テーブルに関するデータを抽出して、この抽出データに基づいて付加データを取得する構成を開示している。
【０００８】
しかしながら、このような暗号鍵、あるいは制御情報が、情報記録媒体のどこに格納されているかといった情報がユーザ、あるいは不正なコンテンツ利用者に取得されてしまうと、付加情報の漏洩や改竄を可能にしてしまうという問題がある。例えば再生制御情報、コピー制御情報の改竄、あるいは鍵情報の漏洩という問題が発生する。暗号鍵の漏洩や、制御情報の改竄が行われると、正当なコンテンツ利用権に基づくコンテンツの利用形態がくずれることになり、コンテンツの著作権、利用権の十分な保護が行われなくなるという問題がある。
【特許文献１】特開２００３−４５１２８号公報
【特許文献２】特開２００２−３６７２８２号公報
【発明の開示】
【発明が解決しようとする課題】
【０００９】
本発明は、上述の問題点に鑑みてなされたものであり、ＤＶＤ等のコンテンツ格納記録媒体においてコンテンツとともに記録媒体に格納する暗号鍵、暗号鍵生成情報、コンテンツ再生制御情報、コンテンツコピー制御情報、あるいはその他のコンテンツ属性情報など、様々な付加情報を、一般のデータ読み取り処理では読み取ることのできない態様で記録することを可能とし、不正なデータ読み取りを困難とした情報記録処理装置、情報再生処理装置、情報記録媒体、および方法、並びにコンピュータ・プログラムを提供することを目的とする。
【課題を解決するための手段】
【００１０】
本発明の第１の側面は、
情報記録媒体にデータを記録する情報記録処理装置において、
異なるコードワードデータを格納したメイン変換テーブルまたはサブ変換テーブルから選択的にコードワードを抽出し、抽出したコードワードに基づいてデータを変調するデータ変調部と、
前記変調されたデータを記録する記録部と、
付加データ構成ビット値と、付加データ記録領域に先行するデータ領域の状態とに基づいて、付加データ記録領域に対応する変調データとして、前記メイン変換テーブルから抽出したコードワードを選択するか、サブ変換テーブルから抽出したコードワードを選択する制御部と、
を有することを特徴とする情報記録処理装置にある。
【００１１】
さらに、本発明の情報記録処理装置の一実施態様において、前記先行するデータ領域の状態は、先行データ領域のパリティが偶数であるか、奇数であるかの状態値であり、前記情報記録処理装置は、
ａ．前記付加データの構成ビット値が０であるか１であるか、および、
ｂ．前記付加データ記録部の先行データ領域のパリティが偶数であるか、奇数であるか、
上記ａ．ｂ．２つの条件に基づいて、付加データ記録領域に対応する変調データをメイン変換テーブルから抽出したコードワードとして設定するか、サブ変換テーブルから抽出したコードワードとして設定するかを決定する構成であることを特徴とする。
【００１２】
さらに、本発明の情報記録処理装置の一実施態様において、前記情報記録処理装置は、前記記録データに対して前記メイン変換テーブルから取得されるコードワードのパリティと、前記記録データに対して前記サブ変換テーブルから取得されるコードワードのパリティとが、偶数と奇数、または奇数と偶数の異なるパリティとなる記録データを、前記付加データ記録領域に設定する記録データとして設定する構成であることを特徴とする。
【００１３】
さらに、本発明の情報記録処理装置の一実施態様において、前記情報記録処理装置は、入力８ビットデータを、前記メイン変換テーブルまたはサブ変換テーブルに基づく変換処理により１６ビットコードワードに変換する処理を実行する構成であり、前記サブ変換テーブルは、一部の入力８ビットデータに対応するコードワードのみを格納した構成であり、前記情報記録処理装置は、前記付加データの記録領域に設定する記録データを、前記サブ変換テーブルに基づく変換処理が可能な８ビットデータとして設定する構成であることを特徴とする。
【００１４】
さらに、本発明の情報記録処理装置の一実施態様において、前記情報記録処理装置は、前記付加データを、前記情報記録媒体に格納するコンテンツの暗号鍵情報、暗号鍵生成情報、コンテンツ再生制御情報、コンテンツコピー制御情報の少なくともいずれかの情報の構成情報として設定する構成であることを特徴とする。
【００１５】
さらに、本発明の情報記録処理装置の一実施態様において、前記付加データの構成ビットの格納位置は、データ変調過程で生成されるデータフレーム中のリザーブフィールド内に設定する構成であることを特徴とする。
【００１６】
さらに、本発明の情報記録処理装置の一実施態様において、前記コードワード選択に基づく変調処理は、ランレングス規則としてのＲＬＬ（２，１０）を満足するデータ変換処理として実行する構成であることを特徴とする。
【００１７】
さらに、本発明の第２の側面は、
情報記録媒体に格納された情報の再生処理を実行する情報再生処理装置において、
情報記録媒体から読み取られたデータの復調処理を実行する復調部と、
少なくとも付加データの記録領域を含む記録データ領域において、記録データの状態値算出処理を実行し、該状態値算出結果に基づいて、付加データの記録領域に格納された記録情報としての付加データ構成ビット情報の取得処理を実行する付加データデコード部と、
を有することを特徴とする情報再生処理装置にある。
【００１８】
さらに、本発明の情報再生処理装置の一実施態様において、前記記録データの状態値は、付加データの記録領域を含む記録データ領域におけるパリティであり、該パリティが、偶数であるか、奇数であるかの状態値に基づいて、前記付加データの構成ビット値が０であるか１であるかの識別処理を実行する構成であることを特徴とする。
【００１９】
さらに、本発明の情報再生処理装置の一実施態様において、前記情報再生処理装置は、付加データの記録領域および付加データ記録領域の先行データ領域全体の状態値算出処理を実行し、該状態値算出結果に基づいて、付加データの記録領域に格納された記録情報としての付加データ構成ビット情報の取得処理を実行する構成を有することを特徴とする。
【００２０】
さらに、本発明の情報再生処理装置の一実施態様において、前記報記録媒体に格納されたデータは、異なるコードワードデータを格納したメイン変換テーブルまたはサブ変換テーブルから選択的に抽出されたコードワードに基づく記録データであり、前記情報再生処理装置は、付加データの記録領域に記録されたコードワードがメイン変換テーブルから取得したコードワードであるか、またはサブ変換テーブルから取得したコードワードであるかを判別することによって、前記付加データの構成ビット値が０であるか１であるかの識別処理を実行する構成であることを特徴とする。
【００２１】
さらに、本発明の情報再生処理装置の一実施態様において、前記情報再生処理装置は、予め設定された復調データを取得したことを条件として、該復調データの取得領域を付加データ格納領域として識別し、少なくとも検出された付加データの記録領域を含む記録データ領域において、記録データの状態値算出処理を実行し、該状態値算出結果に基づいて、付加データのビット情報を取得する処理を実行する構成を有することを特徴とする。
【００２２】
さらに、本発明の情報再生処理装置の一実施態様において、前記予め設定された復調データは、該復調データに対して前記メイン変換テーブルに設定されたコードワードのパリティと、前記復調データに対して前記サブ変換テーブルに設定されたコードワードのパリティとが、偶数と奇数、または奇数と偶数の異なるパリティとなる復調データであることを特徴とする。
【００２３】
さらに、本発明の第３の側面は、
異なるコードワードデータを格納したメイン変換テーブルまたはサブ変換テーブルから選択的に抽出したコードワードに基づいて生成する変調データに基づく記録データを格納した情報記録媒体であり、
付加データの記録領域には、付加データの構成ビット値と、付加データ記録領域の先行するデータ領域の状態とに基づいて選択された、前記メイン変換テーブルまたはサブ変換テーブルの一方のコードワードに基づく変調データが記録された構成を有することを特徴とする情報記録媒体にある。
【００２４】
さらに、本発明の情報記録媒体の一実施態様において、前記付加データ記録位置の先行するデータ領域の状態は、先行データ領域のパリティが偶数であるか、奇数であるかの状態値であり、前記情報記録媒体は、
ａ．前記付加データの構成ビット値が０であるか１であるか、および、
ｂ．前記付加データ記録部の先行データ領域のパリティが偶数であるか、奇数であるか、
上記ａ．ｂ．２つの条件に基づいて、前記メイン変換テーブルまたはサブ変換テーブルの一方のコードワードが選択されて、該選択コードワードに基づく変調データが記録された構成を有することを特徴とする。
【００２５】
さらに、本発明の情報記録媒体の一実施態様において、前記情報記録媒体は、記録データに対して前記メイン変換テーブルから取得されるコードワードのパリティと、前記記録データに対して前記サブ変換テーブルから取得されるコードワードのパリティとが、偶数と奇数、または奇数と偶数の異なるパリティとなる記録データを、前記付加データの記録位置に設定する記録データとして設定した構成であることを特徴とする。
【００２６】
さらに、本発明の情報記録媒体の一実施態様において、前記付加データは、前記情報記録媒体に格納するコンテンツの暗号鍵情報、暗号鍵生成情報、コンテンツ再生制御情報、コンテンツコピー制御情報の少なくともいずれかの情報の構成情報であることを特徴とする。
【００２７】
さらに、本発明の第４の側面は、
情報記録媒体にデータを記録する情報記録処理方法であり、
異なるコードワードデータを格納したメイン変換テーブルまたはサブ変換テーブルから選択的にコードワードを抽出し、該抽出したコードワードに基づいてデータを変調する変調ステップと、
付加データ構成ビット値と、付加データ記録領域に先行するデータ領域の状態とを判別する判別ステップと、
前記判別ステップにおける判別結果に基づいて、付加データ記録領域に対応する変調データとして、前記メイン変換テーブルから抽出したコードワードを選択するか、サブ変換テーブルから抽出したコードワードを選択するかを決定する適用変換テーブル決定ステップと、
前記適用変換テーブル決定ステップにおいて決定した変換テーブルから取得するコードワードに基づく変調データを生成しデータ記録処理を実行するステップと、
を有することを特徴とする情報記録処理方法にある。
【００２８】
さらに、本発明の情報記録処理方法の一実施態様において、前記付加データ記録領域の先行するデータ領域の状態は、先行データ領域のパリティが偶数であるか、奇数であるかの状態値であり、前記判別ステップは、
ａ．前記付加データの構成ビット値が０であるか１であるか、および、
ｂ．前記付加データ記録部の先行データ領域のパリティが偶数であるか、奇数であるか、
上記ａ．ｂ．２つの条件を判別するステップであり、
前記適用変換テーブル決定ステップは、上記ａ．ｂ．２つの条件の判別結果に基づいて、付加データ記録領域に対応する変調データをメイン変換テーブルから抽出したコードワードとして設定するか、サブ変換テーブルから抽出したコードワードとして設定するかを決定するステップであることを特徴とする。
【００２９】
さらに、本発明の情報記録処理方法の一実施態様において、前記情報記録処理方法は、さらに、該記録データに対して前記メイン変換テーブルから取得されるコードワードのパリティと、前記記録データに対して前記サブ変換テーブルから取得されるコードワードのパリティとが、偶数と奇数、または奇数と偶数の異なるパリティとなる記録データを、前記付加データ記録領域に設定する記録データとして設定するステップを含むことを特徴とする。
【００３０】
さらに、本発明の情報記録処理方法の一実施態様において、前記情報記録処理方法は、さらに、前記付加データの記録領域に設定する記録データを、前記サブ変換テーブルに基づく変換処理が可能な８ビットデータとして選択するステップを含むことを特徴とする。
【００３１】
さらに、本発明の情報記録処理方法の一実施態様において、前記付加データは、前記情報記録媒体に格納するコンテンツの暗号鍵情報、暗号鍵生成情報、コンテンツ再生制御情報、コンテンツコピー制御情報の少なくともいずれかの情報の構成情報であることを特徴とする。
【００３２】
さらに、本発明の情報記録処理方法の一実施態様において、前記情報記録処理方法は、さらに、前記付加データの構成ビットの格納位置を、データ変調過程で生成されるデータフレーム中のリザーブフィールド内に設定する処理を実行するステップを含むことを特徴とする。
【００３３】
さらに、本発明の情報記録処理方法の一実施態様において、前記情報記録処理方法におけるデータ変調処理は、ランレングス規則としてのＲＬＬ（２，１０）を満足するデータ変換処理として実行することを特徴とする。
【００３４】
さらに、本発明の第５の側面は、
情報記録媒体に格納された情報の再生処理を実行する情報再生処理方法であり、
少なくとも付加データの記録領域を含む記録データ領域において、記録データの状態値算出処理を実行する状態値算出ステップと、
前記状態値算出ステップにおける状態値算出結果に基づいて、付加データの記録領域に格納された記録情報としての付加データの構成ビット情報の取得処理を実行する付加情報解析ステップと、
を有することを特徴とする情報再生処理方法にある。
【００３５】
さらに、本発明の情報再生処理方法の一実施態様において、前記記録データの状態値は、付加データの記録領域を含む記録データ領域におけるパリティであり、前記状態値算出ステップは、前記パリティが、偶数であるか、奇数であるかの状態値を算出し、前記付加情報解析ステップは、前記パリティに基づいて、前記付加データの構成ビット値が０であるか１であるかの識別処理を実行することを特徴とする。
【００３６】
さらに、本発明の情報再生処理方法の一実施態様において、前記状態値算出ステップは、付加データの記録領域および付加データ記録領域の先行データ領域全体の状態値算出処理を実行するステップであり、前記付加情報解析ステップは、前記状態値算出結果に基づいて、付加データの記録領域に格納された記録情報としての付加データ構成ビット情報の取得処理を実行するステップであることを特徴とする。
【００３７】
さらに、本発明の情報再生処理方法の一実施態様において、前記報記録媒体に対する記録データは、異なるコードワードデータを格納したメイン変換テーブルまたはサブ変換テーブルから選択的に抽出されたコードワードに基づく記録データであり、前記付加情報解析ステップは、付加データの記録領域に記録されたコードワードがメイン変換テーブルから取得したコードワードであるか、またはサブ変換テーブルから取得したコードワードであるかを判別することによって、前記付加データの構成ビット値が０であるか１であるかの識別処理を実行するステップであることを特徴とする。
【００３８】
さらに、本発明の情報再生処理方法の一実施態様において、前記情報再生処理方法は、さらに、予め設定された復調データを取得したことを条件として、該復調データの取得領域を付加データ格納領域として識別し、少なくとも検出された付加データの記録領域を含む記録データ領域において、記録データの状態値算出処理を実行し、該状態値算出結果に基づいて、付加データのビット情報を取得する処理を実行することを特徴とする。
【００３９】
さらに、本発明の情報再生処理方法の一実施態様において、前記予め設定された復調データは、該復調データに対して前記メイン変換テーブルに設定されたコードワードのパリティと、前記復調データに対して前記サブ変換テーブルに設定されたコードワードのパリティとが、偶数と奇数、または奇数と偶数の異なるパリティとなる復調データであることを特徴とする。
【００４０】
さらに、本発明の第６の側面は、
情報記録媒体に対する記録データの変調処理として、異なるコードワードデータを格納したメイン変換テーブルまたはサブ変換テーブルから選択的にコードワードを抽出し、該抽出したコードワードに基づくデータ記録処理を実行するコンピュータ・プログラムであり、
付加データの記録処理において、付加データ構成ビット値と、付加データ記録領域の先行するデータ領域の状態とを判別する判別ステップと、
前記判別ステップにおける判別結果に基づいて、付加データ記録領域に対応する変調データとして、前記メイン変換テーブルから抽出したコードワードを選択するか、サブ変換テーブルから抽出したコードワードを選択するかを決定する適用変換テーブル決定ステップと、
前記適用変換テーブル決定ステップにおいて決定した変換テーブルから取得するコードワードに基づく変調データを生成しデータ記録処理を実行するステップと、
を有することを特徴とするコンピュータ・プログラムにある。
【００４１】
さらに、本発明の第７の側面は、
情報記録媒体に格納された情報の再生処理を実行するコンピュータ・プログラムであり、
少なくとも付加データの記録領域を含む記録データ領域において、記録データの状態値算出処理を実行する状態値算出ステップと、
前記状態値算出ステップにおける状態値算出結果に基づいて、付加データの記録領域に格納された記録情報としての付加データの構成ビット情報の取得処理を実行する付加情報解析ステップと、
を有することを特徴とするコンピュータ・プログラムにある。
【００４２】
なお、本発明のコンピュータ・プログラムは、例えば、様々なプログラム・コードを実行可能なコンピュータ・システムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００４３】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００４４】
本発明の構成によれば、情報記録媒体に対する付加データの記録、例えばコンテンツの復号処理に適用する鍵情報、鍵生成情報、あるいはコンテンツ再生制御情報、コピー制御情報などの付加情報を記録する際、付加データの構成ビット情報［０］または［１］に応じて、変調コードの取得用テーブルとして設定されたメイン変換テーブルと、サブ変換テーブルとを切り替えて適用することにより、ビット情報［０］または［１］を格納することが可能となる。また再生処理においては、付加データの記録領域を含むデータ領域の状態値、例えばパリティを算出することで付加構成ビット情報［０］または［１］を取得することができ、例えば、コンテンツの復号処理に適用する鍵情報、鍵生成情報、あるいはコンテンツ再生制御情報、コピー制御情報などの付加情報を解析困難な態様で埋め込み、また再生時に確実に読み取る構成が実現される。
【００４５】
本発明の構成によれば、例えば、付加データの記録処理において、付加データを挿入する位置の先行データ領域に基づくパリティ値を算出し、そのパリティ値が偶数であり、付加データのビット値が［０］である場合は、サブ変換テーブルからコードワードを選択する。付加データのビット値が［１］である場合は、メイン変換テーブルからコードワードを選択する。また、付加データを挿入する位置の先行データ領域に基づくパリティ値が奇数であり、付加データのビット値が［０］である場合は、メイン変換テーブルからコードワードを選択する。付加データのビット値が［１］である場合は、サブ変換テーブルからコードワードを選択する。コンテンツ再生時には、付加データの記録領域を含むデータ領域のパリティが偶数であるか奇数であるかを判別するのみで付加データのビット値検出が可能となる。
【発明を実施するための最良の形態】
【００４６】
以下、図面を参照しながら本発明の情報記録処理装置、情報再生処理装置、情報記録媒体、および方法、並びにコンピュータ・プログラムの詳細について説明する。説明は、以下の項目に従って行う。
１．データ記録処理の概要
２．変換テーブルに基づく変換処理
３．シンクコードの選択
４．データ記録処理シーケンス
５．付加データの格納構成
６．付加データの格納を伴うデータ記録処理シーケンス
７．データ記録処理装置構成
８．データ再生処理
９．付加情報を入力ビット［８６］として設定した場合の具体例
【００４７】
［１．データ記録の概要］
まず、ＤＶＤ（Digital Versatile Disc）等の高密度情報記録媒体に対するデジタルデータの記録処理構成について説明する。
【００４８】
図１は、ＤＶＤ（Digital Versatile Disc）等の高密度情報記録媒体に対するデジタルデータの記録処理手順を説明する図である。ホストから入力されるたとえば映像コンテンツなどのオリジナルコンテンツを構成するデジタルデータは、図１に示すように、
ａ．データフレーム１０１
ｂ．スクランブルフレーム１０２
ｃ．ＥＣＣブロック１０３
ｄ．１６レコーディングフレーム１０４
ｅ．変調処理＆ＮＲＺＩ変換データ１０５
ｆ．１６フィジカルセクタ１０６
ｇ．レコーディングユニット１０７
の順にデータ変換がなされ、情報記録媒体１１０に格納される。
【００４９】
データフレーム１０１は、例えば図２に示すデータ構成を持つ。なお、図２に示すデータフレーム１０１は、ＤＶＤ＋ＲＷフォーマットの例を示している。４バイトのデータフレームＩＤ、ＩＤのエラー検出コードとしての２バイトのＩＥＤ、さらに６バイトのリザーブフィールドの後に２０４８バイトのメインデータ（入力コンテンツデータ）が格納され、末尾に４バイトのエラー検出コード（ＥＤＣ）が格納された構成となる。
【００５０】
さらに、図１に示すように、データフレーム１０１はスクランブル処理がなされ、スクランブルフレーム１０２が生成される。データフレーム１０１の２０４８バイトのメインデータフレームに対するビットシフト処理などが実行されて、スクランブルフレーム１０２が生成される。
【００５１】
さらに、図１に示すように、スクランブルフレーム１０２に基づいて、ＥＣＣブロック１０３が生成される。ＥＣＣフレーム１０３は、図３に示すような構成を持つ。１行を１７２バイトデータとした１９２行（ｒｏｗ）のデータ領域と、パリティデータＰＩとＰＯが付加される。各バイトデータは、Ｂｉ，ｊとして、Ｂ０，０〜Ｂ２０７，１８１まであり、Ｂ０，０〜Ｂ１９１，１７１がスクランブルフレーム、その他がパリティデータである。
【００５２】
さらに、図１に示すように、ＥＣＣブロック１０３に基づいて、１６レコーディングフレーム１０４が生成される。１６レコーディングフレーム１０４は、ＥＣＣブロック１０３に対するインターリーブ処理によって生成される。１６レコーディングフレーム１０４は、図４に示すように、１行１８２バイトとして設定した１３行のレコーディングフレーム０〜１５からなる。
【００５３】
各レコーディングフレームは、スクランブルフレームとパリティデータとの組み合わせとして構成される。このように、１９２バイト×１３行をフレーム単位として設定したレコーディングフレーム０〜１５によって１６レコーディングフレーム１０４が生成される。
【００５４】
さらに、図１に示すように、１６レコーディングフレーム１０４は、変調処理およびＮＲＺＩ（Non Return to Zero Inverted）変換処理が施され、変調処理およびＮＲＺＩ変換データ１０５が生成される。すなわち、各レコーディングフレームの８ビットが１６ビットコードワードに変換され、１６ビットコードワードに基づくＮＲＺＩ変換パルスが生成される。
【００５５】
図５に、変調処理およびＮＲＺＩ（Non Return to Zero Inverted）変換処理を実行する装置構成を示す。まず、１６レコーディングフレーム１０４から順次入力される８ビットが、変調処理手段１５１において１６ビットコードワードに変換される。
【００５６】
なお、８ビットから１６ビットに変換する処理においては、連続する［０］が、最小２つ、最大１０個の範囲となるＲＬＬ（２，１０）のランレングス制限に従った変換が実行される。なお、この変換処理においては、変換テーブルが使用される。具体的な変換テーブルの使用例については後述する。
【００５７】
変調処理手段１５１から出力される１６ビットコードワードは、ＮＲＺ変換手段１５２、排他論理和手段（ＸＯＲ）１５３、遅延手段１５４からなる構成に入力される。図５（ａ）が、１６ビットコードワード、（ｂ）がＮＲＺ変換手段１５２からの出力信号、（ｃ）が最終的な出力であるＮＲＺＩ変換パルスを示している。
【００５８】
図１に示すように、ＮＲＺＩ変換パルスに基づいてフィジカルセクタ１０６が構成される。
【００５９】
フィジカルセクタ１０６は、図６に示す構成を持つ。各行（ｒｏｗ）に２つのシンクフレームを有し、１つのシンクフレームは、３２チャンネルビットのシンクコードと、１４５６チャンネルビットによって構成される。１４５６チャンネルビットは、レコーディングフレームにおける９１×８ビットのデータに相当する。
【００６０】
なお、各シンクフレームに設定される３２チャンネルビットのシンクコードは、複数のシンクコード（ＳＹ０〜ＳＹ７）を格納したシンクコードテーブルから選択されたコードが設定される。これらのシンクコードテーブルの構成とシンクコードの選択手法については、後述する。
【００６１】
次に、図１に示すように、フィジカルセクタ１０６に基づいて、レコーディングユニット（ＲＵＮ）１０７が構成され記録媒体１１０に記録される。
【００６２】
記録媒体１１０に対するデータ記録は、ＮＲＺＩ変換された信号に基づいて、ピット、あるいはマークが記録媒体に形成することで行われる。例えばピット列がスパイラル状もしくは同心円状に形成されてトラックが構成される。
【００６３】
［２．変換テーブルに基づく変換処理］
上述したように、図１に示す１６レコーディングフレーム１０４から変調処理およびＮＲＺＩ変換データ１０５へのデータ変換においては、各レコーディングフレームの８ビットを１６ビットコードワードに変換する処理が行われる。
【００６４】
この変換処理には、変換テーブルが使用される。変換テーブルには、
メイン変換テーブル、
サブ変換テーブル
の２つがあり、各変換処理において、いずれかのテーブルが選択されて、選択テーブルに基づいて１６ビットコードワードが取得される。
【００６５】
メイン変換テーブルの構成を図７に、サブ変換テーブルの構成を図８に示す。メイン変換テーブルは入力８ビット［００００００００］〜［１１１１１１１１］、すなわち０〜２５５に対する１６ビットコードワードが対応付けられており、サブ変換テーブルは、入力８ビットが０〜８７の範囲のみについて１６ビットコードワードが対応付けられたテーブルとして構成されている。
【００６６】
図７、図８に示すように、メイン変換テーブル、サブ変換テーブルとも、４つのステート１〜４を持ち、ステートによって、異なる１６ビットコードワードを設定する構成となり、また、次のステートが決定する構成となっている。
【００６７】
すなわち、各レコーディングフレームの８ビットを１６ビットコードワードに変換する処理を行う場合には、
（１）メイン変換テーブルとサブ変換テーブルのいずれを適用するか、
（２）ステート１〜４のいずれであるか、
を決定していずれかの変換テーブルから１つの変調データであるコードワードを選択するデータ変換処理が実行されることになる。
【００６８】
各レコーディングフレームの８ビットを１６ビットコードワードに変換する処理は、図９に示す構成に基づいて実行される。
【００６９】
変換手段２１０には、メイン変換テーブル２１１と、サブ変換テーブル２１２が格納され、被変換データである。各レコーディングフレームの８ビットＢ（ｔ）と、前のコードワードに基づいて決定されるステート設定値Ｓ（ｔ）が入力される。
【００７０】
変換手段２１０は、入力するステート設定値Ｓ（ｔ）に基づいて、メイン変換テーブル２１１またはサブ変換テーブル２１２において適用するステートを決定し、決定したテーブル格納値としての１６ビットコードワードＸ（ｔ）を出力とし、また、テーブルに基づいて決定される次ステートＳ（ｔ＋１）を遅延手段２２０を介して、変換手段２１０にフィードバック入力する。これらの処理を繰り返し実行して、各レコーディングフレームの８ビットを１６ビットコードワードに変換する処理が行われる。
【００７１】
なお、図７、図８に示すように、出力するコードワードが決定すれば次ステートも併せて決定されるが、これは、連続する［０］が、最小２つ、最大１０個の範囲となるＲＬＬ（２，１０）のランレングス制限に従った変換を実行するために、複数の候補からのコードワード選択を可能としたものである。
【００７２】
次ステートＳ（ｔ＋１）と、現コードワードＸ（ｔ）と、次コードワードＸ（ｔ＋１）との間には、図１０に示す関係がある。
【００７３】
すなわち、
ａ．現コードワードの終端の連続する［０］が０〜１で、次ステートがステート１である場合は、次のコードワードは、コードワード先頭の連続する［０］（leading ZERO)が２〜９となる。
ｂ．現コードワード終端の連続する［０］が２〜５で、次ステートがステート２の場合は、次のコードワードは、コードワード先頭の連続する［０］（leading ZERO)が１〜５であり、かつＸ１５（ｔ＋１），Ｘ３（ｔ＋１）＝０，０となる。なお、Ｘ１５は、コードワードの最上位ビット（ｍｓｂ）、Ｘ０は、コードワードの最下位ビット（ｌｓｂ）である。
ｃ．現コードワード終端の連続する［０］が２〜５で、次ステートがステート３の場合は、次のコードワードは、コードワード先頭の連続する［０］（leading ZERO)が０〜５であり、かつ、Ｘ１５（ｔ＋１），Ｘ３（ｔ＋１）≠０，０となる。
ｄ．現コードワード終端の連続する［０］が６〜９で、次ステートがステート４の場合は、次のコードワードは、コードワード先頭が［１］または、連続する［０］（leading ZERO)が１である。
【００７４】
上述した関係において、ステートが決定され、連続する［０］が、最小２つ、最大１０個の範囲となるＲＬＬ（２，１０）のランレングス制限に従った変換が行われる。
【００７５】
さらに、前述したように、変換処理においては、メイン変換テーブル（図７参照）に基づいて変換を行うか、サブ変換テーブル（図８参照）に基づいて変換を行うかを決定することが必要となる。
【００７６】
メイン変換テーブルとサブ変換テーブルのいずれを適用するかは、ＮＲＺＩパルスのＤＣバランスの指標としてのＤＳＶ（Digital Sum Value：デジタルサムバリュー）がより小さくなるようなコードを選択するという原則が適用される。
【００７７】
具体的には、記録ビット系列（ＮＲＺＩ変換信号）のビット［０］を「−１」、ビット［１］を「＋１」として累積した値をＤＳＶとし、ＤＳＶが０からの乖離をより小さくすることのできるコードワードがメイン変換テーブルまたはサブ変換テーブルから選択される。すなわち、メイン変換テーブルとサブ変換テーブル各々の１６ビット変換コードワードを選択した場合のＤＳＶを比較し、その絶対値のより小さな、すなわち０に近いＤＳＶが得られるコードワードが選択される。
【００７８】
ただし、サブ変換テーブルは、被変換８ビットデータが０〜８７の範囲にある場合の変換コードワードのみを格納しているので、被変換８ビットデータが０〜８７の範囲にある場合にのみ、メイン変換テーブルとサブ変換テーブルのいずれを適用するかの判定がＤＳＶ比較に基づいて判定されることになる。そのデータ領域以外、すなわち、被変換８ビットデータが８８〜２５５の範囲にある場合は、ＤＳＶの比較を行うことなくメイン変換テーブルのみが適用される。ただし、８８〜２５５の範囲でも、ステートが１、４の場合でＲＬＬ（２，１０）を満たすコードであれば、ステート１のコードをステート４、またはステート４をステート１のコードに置き換えることが出来る。よって、ＤＳＶの比較は行われる場合がある。
【００７９】
上述したように、図１に示す１６レコーディングフレーム１０４から変調処理およびＮＲＺＩ変換データ１０５へのデータ変換においては、各レコーディングフレームの８ビットを１６ビットコードワードに変換する処理が行われるが、この際、ＤＳＶの比較に基づく、メイン変換テーブルとサブ変換テーブルの選択、およびＲＬＬ（２，１０）のランレングス制限に従った変換を行うためのステート決定がなされ、８ビットから１６ビットコードワードへの変換が実行されることになる。
【００８０】
［３．シンクコードの選択］
上述の処理に基づいて１６ビットコードワードへの変換がなされ、１６ビットコードワードに基づいてＮＲＺＩ変換パルス（図５参照）が生成されて、ＮＲＺＩ変換パルスに基づいて、図１の１６フィジカルセクタ１０６が生成される。
【００８１】
１６フィジカルセクタは、先に図６を参照して説明したように、各行（ｒｏｗ）に２つのシンクフレームを有し、１つのシンクフレームは、３２チャンネルビットのシンクコードと、１４５６チャンネルビットによって構成される。１４５６チャンネルビットは、レコーディングフレームにおける９１×８ビットのデータに相当する。
【００８２】
図６に示すように、各シンクフレームには、シンクコードＳＹ０〜ＳＹ７のいずれを設定するかが、予め定められており、このシンクコードをシンクコードテーブルから選択して設定する。
【００８３】
シンクコードテーブルは、図１１のような構成を持つ。すなわち、現ステートと、次ステートの対応によって異なるシンクコードＳＹ０〜ＳＹ７が設定され、さらに、プライマリシンクコードと、セカンダリシンクコードのいずれかを選択することになる。
【００８４】
ステート１〜４は、前述した変換テーブルに基づく変換処理の際に決定しているステート値であり、このステートに応じて、図１１の上段、または下段のテーブルが選択される。
【００８５】
さらに、プライマリシンクコードと、セカンダリシンクコードのいずれを選択するかは、前述のメイン変換テーブルと、サブ変換テーブルの選択処理と同様、ＮＲＺＩパルスのＤＣバランスの指標としてのＤＳＶ（Digital Sum Value：デジタルサムバリュー）がより小さくなるように、シンクコードを選択するという原則が適用される。記録ビット系列（ＮＲＺＩ変換信号）のビット［０］を「−１」、ビット［１］を「＋１」として累積した値をＤＳＶとし、ＤＳＶが０からの乖離をより小さくすることのできるシンクコードが、プライマリシンクコード、または、セカンダリシンクコードから選択される。すなわち、プライマリシンクコードと、セカンダリシンクコードのそれぞれのシンクコードを選択した場合のＤＳＶを比較し、より絶対値の小さな、すなわち０に近いＤＳＶが得られるシンクコードが選択される。
【００８６】
［４．データ記録処理シーケンス］
上述したように、情報記録媒体に対するデータ記録処理においては、図１に示すように、
ａ．データフレーム１０１
ｂ．スクランブルフレーム１０２
ｃ．ＥＣＣブロック１０３
ｄ．１６レコーディングフレーム１０４
ｅ．変調処理＆ＮＲＺＩ変換データ１０５
ｆ．１６フィジカルセクタ１０６
ｇ．レコーディングユニット１０７
の順にデータ変換がなされ、情報記録媒体１１０に格納される。
【００８７】
しかしながら、実際には、上述したように、変調処理＆ＮＲＺＩ変換データの生成において、メイン変換テーブルとサブ変換テーブルのいずれを選択するかをＤＳＶに基づいて決定することが必要であり、また、シンクフレームにおけるシンクコードの選択をＤＳＶに基づいて決定することが必要となる。従って、必ずしも上記ａ〜ｇのデータ変換を１つのシーケンスとして実行するのではなく、複数のデータ変換ストリームを生成し、それぞれのＤＳＶ比較を行い良好なＤＳＶ、すなわちより０に近いＤＳＶを持つストリームを選択するといった処理が行われることになる。
【００８８】
図１２を参照して、シンクフレームの生成処理シーケンスの一例を説明する。なお、図１２に示すシンクフレームの生成処理シーケンスは、ＤＶＤ＋ＲＷにおける処理例を示している。
【００８９】
なお、ＤＶＤ＋ＲＷにおけるシンクフレームの生成処理の原則は、２つの異なるデータストリームとして、プライマリシンクコードを設定したストリーム１と、セカンダリシンクコードを設定したストリーム２を生成し、生成済みのストリームにおいて、ＤＳＶ比較を実行し、低いＤＳＶを持つストリームを選択して他方にコピーし、さらに、
（１）入力データが００〜８７までの場合、ストリーム１にメイン変換テーブル値を追加し、ストリーム２にサブ変換テーブル値を追加する。
（２）入力データが８８〜２５５までで、ステートが１か４の場合、継続ステートが１の場合４に置き換えても規定のランレングス規則、例えばＲＬＬ（２，１０）を満たすコードであれば、ストリーム２に追加し、ストリーム１にはステート１のコードを追加する。最終的にレコーディングフレームが、−６４＜ＤＳＶ＜＋６３（ＤＶＤ＋ＲＷの場合）を満足しない場合は、同期コードを置き換えみて、｜ＤＳＶ｜が小さくなれば、置換えを行う。なお、ＤＶＤ−ＲＯＭ、ＤＶＤ−ＲＷ、ＤＶＤ−ＲＡＭなどは、−６５＜ＤＳＶ＜＋６４であるか否かを判定して処理を行う。
【００９０】
以上の原則の下にシンクフレームの生成処理が実行される。図１２に示すシンクフレームの生成処理シーケンスは、以上の原則に基づく処理中、本発明に関連する処理についてその概要を説明したシーケンスである。実際の処理シーケンスは、ＤＶＤ＋ＲＷ、ＤＶＤ−ＲＯＭ、ＤＶＤ−ＲＷ、ＤＶＤ−ＲＡＭなどによって、細部はそれぞれ異なる処理となる。
【００９１】
以下、図１２に示す処理シーケンスの各ステップについて説明する。まず、ステップＳ１０１において、生成済みのデータストリーム（シンクフレーム）に対して、プライマリシンクコードおよびセカンダリシンクコードをそれぞれ追加設定する。生成済みのデータストリーム（シンクフレーム）がない場合は、新規に生成する。すなわち、プライマリシンクコード設定したストリーム１、セカンダリシンクコードを設定したストリーム２の２つのストリームを生成する。
【００９２】
図６を参照して説明したように、シンクコードＳＹ０〜ＳＹ７のいずれかが、データ一に応じて、予め決定されており、このシンクコードＳＹ０，ＳＹ７のいずれかを図１１に示すシンクコードテーブルから、プライマリシンクコード、セカンダリシンクコードそれぞれ選択し、設定した２つのストリームを生成する。
【００９３】
ステップＳ１０２では、変換処理対象となるデータを入力する。ステップＳ１０３では、ＤＳＶの比較処理を必要とする入力データであるか否かが判定される。すなわち、図７、図８に示すメイン変換テーブルおよびサブ変換テーブルの構成から理解されるように、８ビットデータを１６ビットコードワードに変換する場合、入力データが０〜８７である場合は、メイン変換テーブルかまたはサブ変換テーブルのいずれを適用するかをＤＳＶ比較に基づいて決定することが必要となるが、入力データが８８〜２５５の場合は、メイン変換テーブルのみが適用されることになるので、ＤＳＶの比較処理が不要なデータとされる。ただし、入力データが８８〜２５５の場合であっても次ステート１、４の設定の場合には、メイン変換テーブル中のステート１かステート４のコードワードをＤＳＶ比較に基づいて決定する。ただしＲＬＬ規則を満足することが要件である。
【００９４】
ＤＳＶ比較が不要なデータが入力された場合は、ステップＳ１０４において、メイン変換テーブルに基づいて１６ビットコードワードが選択され、各ストリームに追加され、それぞれストリーム１、ストリーム２が生成される。なお、前述したようにコードワード選択処理においては、ステート値が考慮され、ＲＬＬ（２，１０）規則に従ったコードワードが選定されることになる。
【００９５】
一方、ＤＳＶ比較が必要なデータが入力された場合は、ステップＳ１０５に進み、入力データを２つの異なるコードワードに変換する。すなわち、メイン変換テーブル、またはサブ変換テーブルに基づく変換、あるいはステート１またはステート４の各ステートに従った変換である。
【００９６】
次に、ステップＳ１０６において、現ストリーム１と現ストリーム２の｜ＤＳＶ｜比較を実行し、低い｜ＤＳＶ｜を持つストリームを選択し、ステップＳ１０７において、選択ストリームに、ステップＳ１０５で生成した２つの異なるコードワードの一方を設定し、非選択ストリームに他方のコードワードを設定する。
【００９７】
ステップＳ１０８では、シンクフレームの終了が確認され、未終了である場合は、ステップＳ１０２に戻り、同様の処理を次の入力データについて実行する。
【００９８】
すべてのシンクフレームについて、ストリーム１とストリーム２が生成されると、次に、ステップＳ１０９において、ストリーム１とストリーム２の｜ＤＳＶ｜比較を実行し、｜ＤＳＶ｜の小さいストリームが選択される。次に、ステップＳ１１０において、選択したストリームのＤＳＶの値が−６４＜ＤＳＶ＜＋６３の範囲にあるか否かが判定される。
【００９９】
−６４＜ＤＳＶ＜＋６３を満足する場合は、ステップＳ１１２において、入力データ、すなわちコードワードに変換の必要な被変換ビットがまだ存在するか否かが判定され、処理データがある場合は、ステップＳ１０１以下の処理を繰り返し実行する。
【０１００】
ステップＳ１１０において、−６４＜ＤＳＶ＜＋６３を満足しないと判定された場合は、ステップＳ１１１に進み、現在、選択されているシンクコード（プライマリまたはセカンダリ）を他方に置き換えて、現在のストリームと置き換えストリームの｜ＤＳＶ｜比較を実行し、｜ＤＳＶ｜の小さいストリームを選択する。さらに、ステップＳ１１２において未処理データがあるか否かが判定され、未処理データがある場合は、ステップＳ１０１以下の処理を繰り返し実行する。
【０１０１】
ステップＳ１１２において、未処理データなしの判定により、処理が終了、すなわち、図１に示すフィジカルセクタ１０６（図６参照）の生成処理が終了することになる。
【０１０２】
上述した処理は、
（１）メイン変換コードとサブ変換コードの選択
（２）プライマリシンクコードとセカンダリシンクコードの選択
の各選択処理を｜ＤＳＶ｜の値を小さくするという原則に従って実行するものであり、さらに前述したステートの設定、選択によってＲＬＬ（２，１０）の基準を満たすコード変換が実現されることになる。
【０１０３】
［５．付加データの格納構成］
次に、上述した処理によってデータ記録が行われる構成において、例えば記録コンテンツの暗号化、復号処理に適用する鍵情報、あるいは鍵生成情報、あるいはコンテンツコピー制御情報、コンテンツ再生制御情報などの付加情報を埋め込む構成について説明する。
【０１０４】
本発明においては、付加データの構成ビット情報に応じて、変調処理において選択する変換テーブルの種類（メイン変換テーブルまたはサブ変換テーブル）を切り替える処理を実行し、選択されたテーブルに応じて［０］または［１］のビット値を判別可能とする。
【０１０５】
例えば図１３に示すように、付加データを挿入する位置の先行データ領域に基づくパリティ値を算出し、そのパリティ値が偶数である場合、付加データのビット値が［０］である場合は、サブ変換テーブルからコードワードを選択する。付加データのビット値が［１］である場合は、メイン変換テーブルからコードワードを選択する。
【０１０６】
また、付加データを挿入する位置の先行データ領域に基づくパリティ値が奇数である場合、付加データのビット値が［０］である場合は、メイン変換テーブルからコードワードを選択する。付加データのビット値が［１］である場合は、サブ変換テーブルからコードワードを選択する。
【０１０７】
なお、あるデータ領域におけるパリティが偶数であるとは、そのデータ領域に含まれる変調データ、すなわちコードワードの連結データに含まれる１の数の累積値が偶数であることに相当する。あるデータ領域におけるパリティが奇数であるとは、そのデータ領域に含まれる変調データ、すなわちコードワードの連結データに含まれる１の数の累積値が奇数であることに相当する。
【０１０８】
前述した処理例においては、メイン変換テーブルとサブ変換テーブルは、それぞれのテーブルから選択したコードワードの設定ストリームについて、ＤＳＶの比較を行い、より小さな｜ＤＳＶ｜を得られるものを選択するものとしていた。しかし、本発明における付加情報格納構成では、付加情報の格納領域については、この原則に従うことなく、図１３に示すようなテーブル選択基準を適用する。
【０１０９】
すなわち、付加データを挿入する位置の先行するデータ領域の状態と付加データの構成ビットに基づいて選択する変換テーブルを決定する。なお、先行するデータ領域の状態とは、例えば先行データ領域のパリティである。
【０１１０】
以下では、付加データを挿入する位置の先行するデータ領域の状態として、パリティ情報を用いた例を示すが、先行するデータ領域の状態としては、その他の検出可能な様々な状態値の適用が可能である。付加データから得られる状態であれば、パリティ以外の様々な情報を適用することが可能である。
【０１１１】
図１３に示すテーブル選択条件から理解されるように、付加データ先行データ領域のパリティ値と、付加データ挿入位置のコードワードがメイン変換テーブルから選択されたコードワードであるかサブ変換テーブルから選択されたコードワードであるかを識別することで、付加情報の構成ビットが［０］であるか［１］であるかを判別することができる。
【０１１２】
さらに、特定の被変調データ、例えば入力８ビットとして［８６］＝［０１０１０１１０］を付加情報の格納位置に記録するデータとして設定することで、付加データ挿入位置のコードワードがメイン変換テーブルから選択されたコードワードであるかサブ変換テーブルから選択されたコードワードであるかを識別することなく付加情報の構成ビットが［０］であるか［１］であるかを判別することができる。
【０１１３】
すなわち、再生装置において、付加データ先行データ領域と付加データ挿入位置を含むトータルパリティを計算するのみで付加情報の構成ビットが［０］であるか［１］であるかを判別することができる。
【０１１４】
すなわち、例えば入力８ビットとして［８６］を選択すると、図７、図８から明らかなように、メイン変換テーブルでは、［８６］に対するすべてのコードワードの［１］の数が奇数であるのに対し、サブ変換テーブルでは、［８６］に対するすべてのコードワードの［１］の数が偶数であるからである。
【０１１５】
すなわち、付加データ先行データ領域と付加データ挿入位置を含むトータルパリティを計算すると、メイン変換テーブルからのコードワード選択時と、サブ変換テーブルからのコードワード選択時とでは、パリティが必ず、偶数と奇数の組み合わせとなり、トータルパリティが偶数か、奇数かを判別するのみで、付加データ挿入位置に適用した変換テーブルがメイン変換テーブルであるか、サブ変換テーブルであるかを判別することが可能となり、その結果、付加データの構成ビットを識別することが可能となるのである。
【０１１６】
なお、［８６］以外にも、メイン変換テーブルとサブ変換テーブルにおけるコードワードの１の数が奇数と偶数、あるいは偶数と奇数の関係にあるデータは多数、存在し、これらの任意のデータを付加データ設定位置に位置づけるデータとして適用することで、再生時にパリティの算出のみで、付加データのビット情報を取得することが可能となる。
【０１１７】
なお、付加情報がｎビットであれば、付加データ挿入位置は少なくともｎ個設定され、それらのビットを連結して、付加情報、すなわちコンテンツの暗号鍵生成情報や、コンテンツ再生制御情報が生成される。なお、読み取りエラー等を考慮し、付加情報は、繰り返し記録する構成とすることが望ましい。
【０１１８】
具体的な付加データの挿入例について、図１４を参照して説明する。図１４は、付加情報の構成ビット［０］を格納する場合の処理例を示している。
【０１１９】
図１４（ａ）は、付加データ挿入位置の直前のデータ列におけるパリティが偶数である場合であり、この場合、付加情報の構成ビット［０］を格納する場合、図１３に示すテーブル選択条件に基づいてサブ変換テーブルが選択されることになる。
【０１２０】
なお、１６ビットコードワードに変換する被変換ビットは、０〜８７の範囲に設定することが必要である。すなわち、サブ変換テーブルは、先に図８を参照して説明したように０〜８７までの範囲の変換テーブルとしてのみ設定されているからである。
【０１２１】
図１４に示す例では、付加データ用の被変換データとして［８６］を選択した例を示している。このとき、前の変調データのステートがステート１であった場合の例である。このとき、図８に示すサブ変換テーブルの入力ビット［８６］のステート１に設定されたコードワード［０００００００１０００００１００］が、変調データのコードワードとして設定される。
【０１２２】
図１４（ａ）は、付加データ挿入位置の直前のデータ列におけるパリティが偶数であり、また、サブ変換テーブルの入力ビット［８６］のステート１に設定されたコードワード［０００００００１０００００１００］の１の数が偶数であるので、この場合、付加データ先行データ領域と付加データ挿入位置を含むトータルパリティを計算すると、トータルパリティも偶数となる。
【０１２３】
一方、図１４（ｂ）は、付加データ挿入位置の直前のデータ列におけるパリティが奇数である場合であり、この場合、付加情報の構成ビット［０］を格納する場合、図１３に示すテーブル選択条件に基づいてメイン変換テーブルが選択されることになる。
【０１２４】
前の変調データのステートがステート１であった場合、図７に示すメイン変換テーブルの入力ビット［８６］のステート１に設定されたコードワード［０００１０００００１０００１００］が、変調データのコードワードとして設定される。
【０１２５】
図１４（ｂ）は、付加データ挿入位置の直前のデータ列におけるパリティが奇数であり、また、メイン変換テーブルの入力ビット［８６］のステート１に設定されたコードワード［０００１０００００１０００１００］の１の数が奇数であるので、この場合、付加データ先行データ領域と付加データ挿入位置を含むトータルパリティを計算すると、トータルパリティも偶数となる。
【０１２６】
従って、図１４（ａ），（ｂ）いずれも、付加データ先行データ領域と付加データ挿入位置を含むトータルパリティは偶数であり、この場合は、付加データの構成ビットは［０］であると判定することができる。すなわち、付加データ挿入位置のコードワードがメイン変換テーブルから取得したコードワードであるか、サブ変換テーブルから取得したコードワードであるかを判別することなく、トータルパリティが偶数か奇数かのみを識別することで、付加情報の構成ビットが［０］か［１］かを判別することができる。
【０１２７】
なお、図１４に示す例は、付加データビットを［０］とした例であるが、付加データビットを［１］とした場合には、図１４（ａ）のように付加データ先行データ領域のパリティが偶数の場合は、図１３に示すテーブル選択条件に従って、メイン変換テーブルからのコードワードが設定され、図１４（ｂ）のように付加データ先行データ領域のパリティが奇数の場合は、図１３に示すテーブル選択条件に従って、サブ変換テーブルからのコードワードが設定される。
【０１２８】
その結果、付加データ先行データ領域と付加データ挿入位置を含むトータルパリティは、いずれにおいても奇数となり、この場合は、付加データの構成ビットは［１］であると判定することができる。すなわち、付加データ挿入位置のコードワードがメイン変換テーブルから取得したコードワードであるか、サブ変換テーブルから取得したコードワードであるかを判別することなく、トータルパリティが偶数か奇数かのみを識別することで、付加情報の構成ビットが［０］か［１］かを判別することができる。
【０１２９】
なお、前述したように、［８６］以外にも、メイン変換テーブルとサブ変換テーブルにおけるコードワードの１の数が奇数と偶数、あるいは偶数と奇数の関係にあるデータは多数、存在し、これらの任意のデータを付加データ設定位置に位置づけるデータとして適用することで、再生時にパリティの算出のみで、付加データのビット情報を取得可能となる。
【０１３０】
なお、付加情報の構成ビットの挿入位置は、たとえば図１５に示すデータフレーム中の、データフレームＩＤ、ＩＤのエラー検出コードとしてのＩＥＤに続くリザーブフィールド中に設定される。
【０１３１】
このような付加情報格納位置構成とした場合、各データフレームに１ビットを格納し、複数のデータフレーム、例えばｎ個のデータフレームに格納されたｎ個のビットデータを連結して暗号鍵生成情報や、各種の制御情報等、ｎビットの付加情報が記録可能となる。これらのビット情報は、再生処理を実行する例えばＤＶＤ再生装置、ＰＣ等の情報処理装置において、再生時に取得可能であり、例えば暗号鍵情報を取得して取得した暗号鍵に基づいて暗号化コンテンツの復号を行い、コンテンツ再生を行うことが可能となる。
【０１３２】
なお、付加情報格納位置は、図１５に示す位置に限らず、その他の位置に設定してもよい。また、図１５では、リザーブフィールドに付加情報の１ビットを設定し、１つのデータフレームに対して１ビットの付加情報ビットを設定する構成としたが、１つのデータフレームに複数の付加情報設定位置を構成して、複数の付加情報ビットを埋め込む構成としてもよい。
【０１３３】
［６．付加データの格納を伴うデータ記録処理シーケンス］
次に、先に図１２を参照して説明したＤＳＶの判定をベースとしたシンクフレームの生成処理シーケンスに対応するシーケンスとして、付加情報の挿入処理を行うシンクフレームの生成処理シーケンスについて、図１６を参照して説明する。なお、図１６に示す例は、ＤＶＤ＋ＲＷにおける処理シーケンス例である。
【０１３４】
なお、前述したように、ＤＶＤ＋ＲＷにおけるシンクフレームの生成処理の原則は、２つの異なるデータストリームとして、プライマリシンクコードを設定したストリーム１と、セカンダリシンクコードを設定したストリーム２を生成し、生成済みのストリームにおいて、ＤＳＶ比較を実行し、低いＤＳＶを持つストリームを選択して他方にコピーし、さらに、
（１）入力データが００〜８７までの場合、ストリーム１にメイン変換テーブル値を追加し、ストリーム２にサブ変換テーブル値を追加する。
（２）入力データが８８〜２５５までで、ステートが１か４の場合、継続ステートが１の場合４に置き換えても規定のランレングス規則、例えばＲＬＬ（２，１０）を満たすコードであれば、ストリーム２に追加し、ストリーム１にはステート１のコードを追加する。最終的にレコーディングフレームが、−６４＜ＤＳＶ＜＋６３（ＤＶＤ＋ＲＷの場合）を満足しない場合は、同期コードを置き換えみて、｜ＤＳＶ｜が小さくなれば、置換えを行う。なお、ＤＶＤ−ＲＯＭ、ＤＶＤ−ＲＷ、ＤＶＤ−ＲＡＭなどは、−６５＜ＤＳＶ＜＋６４であるか否かを判定して処理を行う。
【０１３５】
以上の原則の下にシンクフレームの生成処理が実行される。図１６に示すシンクフレームの生成処理シーケンスは、以上の原則に基づく処理中、本発明に関連する処理について説明したシーケンスである。実際の処理シーケンスは、ＤＶＤ＋ＲＷ、ＤＶＤ−ＲＯＭ、ＤＶＤ−ＲＷ、ＤＶＤ−ＲＡＭなどによって、細部はそれぞれ異なる処理となる。以下、図１６に示すシーケンスの各ステップについて説明する。
【０１３６】
以下、図１６に示す処理シーケンスの各ステップについて説明する。まず、ステップＳ２０１において、生成済みのデータストリーム（シンクフレーム）に対して、プライマリシンクコードおよびセカンダリシンクコードをそれぞれ追加設定する。生成済みのデータストリーム（シンクフレーム）がない場合は、新規に生成する。すなわち、プライマリシンクコード設定したストリーム１、セカンダリシンクコードを設定したストリーム２の２つのストリームを生成する。
【０１３７】
図６を参照して説明したように、シンクコードＳＹ０〜ＳＹ７のいずれかが、データ一に応じて、予め決定されており、このシンクコードＳＹ０，ＳＹ７のいずれかを図１１に示すシンクコードテーブルから、プライマリシンクコード、セカンダリシンクコードそれぞれ選択し、設定した２つのストリームを生成する。
【０１３８】
ステップＳ２０２では、変換処理対象となるデータを入力する。ステップＳ２０３では、ＤＳＶの比較処理を必要とする入力データであるか否かが判定される。すなわち、図７、図８に示すメイン変換テーブルおよびサブ変換テーブルの構成から理解されるように、８ビットデータを１６ビットコードワードに変換する場合、入力データが０〜８７である場合は、メイン変換テーブルかまたはサブ変換テーブルのいずれを適用するかをＤＳＶ比較に基づいて決定することが必要となるが、入力データが８８〜２５５の場合は、メイン変換テーブルのみが適用されることになるので、ＤＳＶの比較処理が不要なデータとされる。ただし、入力データが８８〜２５５の場合であっても次ステート１、４の設定の場合には、メイン変換テーブル中のステート１かステート４のコードワードをＤＳＶ比較に基づいて決定する。ただしＲＬＬ規則を満足することが要件である。
【０１３９】
ＤＳＶ比較が不要なデータが入力された場合は、ステップＳ２０４において、メイン変換テーブルに基づいて１６ビットコードワードが選択され、各ストリームに追加され、それぞれストリーム１、ストリーム２が生成される。なお、前述したようにコードワード選択処理においては、ステート値が考慮され、ＲＬＬ（２，１０）規則に従ったコードワードが選定されることになる。
【０１４０】
一方、ＤＳＶ比較が必要なデータが入力された場合は、ステップＳ２０５に進み、入力データを２つの異なるコードワードに変換する。すなわち、メイン変換テーブル、またはサブ変換テーブルに基づく変換、あるいはステート１またはステート４の各ステートに従った変換である。
【０１４１】
次に、ステップＳ２０６において、現ストリーム１と現ストリーム２の｜ＤＳＶ｜比較を実行し、低い｜ＤＳＶ｜を持つストリームを選択し、ステップＳ２０７において、選択ストリームに、ステップＳ２０５で生成した２つの異なるコードワードの一方を設定し、非選択ストリームに他方のコードワードを設定する。ただし、付加情報設定位置においては、付加情報構成ビットに基づいて、テーブル選択条件に従い、変換テーブルを選択しストリーム１およびストリーム２を生成する。
【０１４２】
すなわち、例えば図１５に示すような付加情報設定位置においては、付加情報構成ビットに基づいて、図１３に示すようなテーブル選択条件に従い、変換テーブルを選択しストリーム２を生成する。
【０１４３】
このように、付加情報のビット挿入位置では、通常のＤＳＶ比較に基づく変換テーブルの選択を行うのではなく、図１３に示すようなテーブル選択条件に従い、変換テーブルを選択する処理を実行する。
【０１４４】
なお、付加情報設定位置は、例えば、先に図１５を参照して説明したように、データフレームにおける特定のデータ領域、例えばリザーブ（ＲＳＶ）フィールドとして設定し、この領域を付加データのビット位置として識別することが可能である。あるいは、特定の復調データ、例えば図１４を参照して説明したように特定のデータ［８６］を付加情報格納領域に設定するデータとして構成し、被変調データとしての入力データに［８６］というデータが出現した場合に、付加データの設定位置であると判定する構成としてもよい。
【０１４５】
ステップＳ２０８では、シンクフレームの終了が確認され、未終了である場合は、ステップＳ２０２に戻り、同様の処理を次の入力データについて実行する。
【０１４６】
すべてのシンクフレームについて、ストリーム１とストリーム２が生成されると、次に、ステップＳ２０９において、ストリーム１とストリーム２の｜ＤＳＶ｜比較を実行し、｜ＤＳＶ｜の小さいストリームが選択される。
【０１４７】
次に、ステップＳ２１０において未処理データがあるか否かが判定され、未処理データがある場合は、ステップＳ２０１以下の処理を繰り返し実行する。ステップＳ２１０において、未処理データなしの判定がなされると、図１に示すフィジカルセクタ１０６（図６参照）の生成処理が終了することになる。
【０１４８】
この処理フローにおいては、先に図１２を参照して説明したステップＳ１１４，Ｓ１１５の処理、すなわち、ＤＳＶが−６４＜ＤＳＶ＜＋６３にあるか否かを判定し、ＤＳＶがこの範囲にない場合に、現在選択されているシンクコード（プライマリまたはセカンダリ）を他方に置き換えて、｜ＤＳＶ｜を比較し｜ＤＳＶ｜の小さいストリームを選択するという処理が削除される。
【０１４９】
これは、シンクコードの置き換えをこのタイミングで実行すると、付加情報ビットを挿入した位置の先行データ領域の状態、具体的には例えばパリティ値が変化する場合があるからである。付加情報ビットを挿入した位置の先行データ領域の状態（パリティ値）がこの時点で変化すると、付加情報の意味、すなわち［０］［１］の値の変化が発生してしまう。従って、シンクコードの入れ替え処理は実行しない。なお、パリティ判別処理において、の場合でシンクコードを含まないデータ部分のパリティ判別を行う構成であれば、シンクコードを変更しても、パリティは変わらないので、シンクコードの置き換えを行う構成としてもよい。
【０１５０】
上述した処理に従って、付加情報ビットが挿入された記録データが生成されることになる。
【０１５１】
［７．データ記録処理装置構成］
次に、上述の付加情報を例えば映画、音楽などのコンテンツ（メインデータ）とともに記録する処理を行うデータ記録処理装置の構成について説明する。なお、ここで説明するデータ記録処理装置は、いわゆるマスターディスクといわれる原盤の製造装置としてのマスタリング装置を含み、さらに、一般ユーザの利用可能なＤＶＤ記録再生装置やＰＣ等の情報記録媒体ドライブを備えた装置も含むものである。すなわち、マスターディスクのみならず、書き込み可能（Recordable）、再書き込み可能（Rewritable）な様々な情報記録媒体に対してデータ書き込み可能な情報処理装置も含むものである。
【０１５２】
図１７を参照して、データ記録処理装置の構成、および処理について説明する。データ記録処理装置は、データ記録可能な情報記録媒体３０１、データ記録信号を情報記録媒体３０１に対して出力するピックアップ３０２、情報記録媒体３０１を駆動するスピンドルモーター３０３、ピックアップ３０２およびスピンドルモーター３０３の制御を行うサーボ回路３０４、付加データエラー訂正符号化部３０５、メインデータエラー訂正符号化部３０６、付加データ記録領域制御部３０７、スイッチ３０８、ＥＦＭＰｌｕｓ変調・記録単位生成回路３０９、メイン変換テーブル格納メモリ３１０、サブ変換テーブル格納メモリ３１１、変調コード選択部３１２、記録信号処理回路３１３から構成される。
【０１５３】
情報記録媒体３０１に記録するコンテンツデータは、例えば暗号化コンテンツデータであり、メインデータとしてメインデータエラー訂正符号化部３０６に入力され、メインデータエラー訂正符号化部３０６は、入力データに対して例えばＥＣＣ等のエラー訂正符号を生成し付加する符号化処理を行う。
【０１５４】
その後、ＥＦＭＰｌｕｓ変調・記録単位生成回路３０９において、変調処理・記録単位（レコーディングユニット）生成処理、すなわち、図１を参照して説明した
ａ．データフレーム１０１
ｂ．スクランブルフレーム１０２
ｃ．ＥＣＣブロック１０３
ｄ．１６レコーディングフレーム１０４
ｅ．変調処理＆ＮＲＺＩ変換データ１０５
ｆ．１６フィジカルセクタ１０６
ｇ．レコーディングユニット１０７
の生成処理が実行されることになる。
【０１５５】
一方、暗号鍵情報、暗号鍵生成情報、コンテンツ再生制御情報、コンテンツコピー制御情報、その他のコンテンツ属性情報など、様々な情報によって構成される付加データが付加データエラー訂正符号化部３０５に入力され、やはり、例えばＥＣＣ等のエラー訂正符号を付加する符号化処理が行なわれる。
【０１５６】
付加データエラー訂正符号化部３０５から、変調コード選択部３１２には、エラー訂正符号の付加された付加データのビット列が入力される。例えば［０，０，０，１，０，０，０・・・］等のデータ列である。このビット列は、例えば暗号鍵情報、暗号鍵生成情報、コンテンツ再生制御情報、コンテンツコピー制御情報、その他のコンテンツ属性情報のいずれかの付加データと、その付加データに対するエラー訂正符号を含むビット列である。
【０１５７】
変調コード選択部３１２は、変調処理において適用する変換テーブルを決定して、スイッチ３０８を制御する信号を出力する。すなわち、変調処理に適用するコードワードをメイン変換テーブルから選択する場合は、スイッチ３０８をメイン変換テーブル格納メモリ３１０側に設定する制御信号をスイッチ３０８に出力し、メイン変換テーブルからのコードワードをＥＦＭＰｌｕｓ変調・記録単位生成回路３０９に出力する。一方、変調処理に適用するコードワードをサブ変換テーブルから選択する場合は、スイッチ３０８をサブ変換テーブル格納メモリ３１１側に設定する制御信号をスイッチ３０８に出力し、サブ変換テーブルからのコードワードをＥＦＭＰｌｕｓ変調・記録単位生成回路３０９に出力する。
【０１５８】
変調コード選択部３１２は、付加情報ビット設定部以外のデータ部の変調を行う場合は、前述したようにＤＳＶに基づく変換テーブル選択を行う。すなわち、｜ＤＳＶ｜の値を小さくできるコードワードを持つ変換テーブルのコードワードをメイン変換テーブルルまたはサブ変換テーブルから選択するように制御する。なお、図に示すように、変調コード選択部３１２は、ＤＳＶ比較を実行するための信号として、ＮＲＺＩレベル信号を記録信号処理回路３１３を介して受信する。
【０１５９】
ＤＳＶ比較によるテーブルの選択を行う場合は、それぞれのメイン変換テーブルのコードワードおよびサブ変換テーブルのコードワードを設定した変調データストリームを生成して、これら２つのストリームに基づくＮＲＺＩ信号に基づいてＤＳＶの比較を行って最終的な選択を実行することになる。従って、変調コード選択部３１２は、これらの処理のためのスイッチ３０８の制御信号も出力する。
【０１６０】
ただし、ＤＳＶに基づく判定を行うのは、入力データが０〜８７、すなわちサブ変換テーブル（図８参照）の適用可能な範囲であり、入力データが８８〜２５５の場合は、コードワードをメイン変換テーブルから選択するように、スイッチ３０８を制御することになる。
【０１６１】
また、変調コード選択部３１２は、付加情報ビットの設定部においては、付加データの構成ビットに基づいて、予め定められたテーブル選択条件、例えば図１３に示すように、付加データビット埋め込み位置の先行データ領域のデータ状態、例えばパリティと、付加データのビット値とに基づいて、メイン変換テーブルを用いたコードワードへの変換処理を実行するか、あるいはサブ変換テーブルを用いたコードワードへの変換処理を実行するかを決定し、その決定情報に基づいて、スイッチ３０８に対して制御信号を出力する。
【０１６２】
なお、先行するデータ領域の状態情報、例えば先行データ領域のパリティは、図に示すように、ＥＦＭＰｌｕｓ変調・記録単位生成回路３０９から変調コード選択部３１２に出力される。
【０１６３】
付加情報ビットの設定領域であるか、付加情報ビットの設定領域以外の通常データ部であるかの領域情報や、メインデータが０〜８７であるか、８８〜２５５の範囲にあるか等の情報は、付加データ記録領域制御部３０７から変調コード選択部３１２に入力される。
【０１６４】
なお、特定のデータ、例えば［８６］を付加データのビット格納用のデータとして設定している構成においては、入力メインデータが［８６］を示したことを条件として、付加情報ビットの設定領域であると判定することができる。
【０１６５】
付加データ記録領域制御部３０７は、メインデータエラー訂正符号化部３０６からＥＦＭＰｌｕｓ変調・記録単位生成回路３０９に出力されるビット情報を入力し、この情報に基づいて、付加情報ビットの設定領域であるか、付加情報ビットの設定領域以外の通常データ部であるかの領域情報や、メインデータが０〜８７であるか、８８〜２５５の範囲にあるか等の情報を変調コード選択部３１２に出力する。
【０１６６】
このように、ＥＦＭＰｌｕｓ変調・記録単位生成回路３０９は、変調コード選択部３１２におけるＤＳＶまたは付加情報ビットに基づくテーブル選択処理によって選択された変換テーブルのコードワードを適用した変調処理を実行して、図１を参照して説明したデータ変換処理、すなわち、
ａ．データフレーム１０１
ｂ．スクランブルフレーム１０２
ｃ．ＥＣＣブロック１０３
ｄ．１６レコーディングフレーム１０４
ｅ．変調処理＆ＮＲＺＩ変換データ１０５
ｆ．１６フィジカルセクタ１０６
ｇ．レコーディングユニット（ＲＵＮ）１０７
を実行し、記録単位（ＲＵＮ：レコーディングユニット）を記録信号処理回路３１３に出力する。
【０１６７】
記録信号処理回路３１３は、記録単位（ＲＵＮ：レコーディングユニット）をピックアップ３０２に出力し、サーボ回路３０４の制御の下に記録単位（ＲＵＮ：レコーディングユニット）情報が情報記録媒体３０１に記録される。
【０１６８】
［８．データ再生処理］
次に、上述の付加情報、および映画、音楽などのコンテンツ（メインデータ）を格納した情報記録媒体の再生処理を行うデータ再生処理装置の構成および再生処理シーケンスについて説明する。
【０１６９】
図１８を参照して、データ再生処理装置の構成、および処理について説明する。データ再生処理装置は、情報記録媒体４０１、情報記録媒体４０１からのデータ読み取りを行うピックアップ４０２、情報記録媒体４０１を駆動するスピンドルモーター４０３、ピックアップ４０２およびスピンドルモーター４０３の制御を行うサーボ回路４０４、読み取り信号のゲイン調整などの信号処理を行いＲＦ信号を生成するＲＦ回路部４０５、ＲＦ信号から同期信号を抽出する同期検出部４０６、ＥＦＭＰｌｕｓ復調処理を実行するＥＦＭＰｌｕｓ復調処理部４０７、メイン変換テーブル格納メモリ４０８、サブ変換テーブル格納メモリ４０９、付加データの領域についてのみ、情報記録媒体の読み取り信号を付加データデコード部４１２に出力するためのスイッチ４１０、付加データの領域を検出し、スイッチ４１０を制御する付加データ記録領域検出部４１１、付加データのデコード処理を実行する付加データデコード部４１２、メインデータのエラー訂正処理を行うメインデータエラー訂正部４１３、付加データのエラー訂正処理を行う付加データエラー訂正部４１４を有する。
【０１７０】
情報記録媒体４０１に格納されたコンテンツデータは、例えば暗号化コンテンツデータであり、また情報記録媒体４０１に格納された付加データは、暗号化コンテンツの復号処理に適用する鍵データ、あるいは鍵生成情報、またはコンテンツ再生制御情報、コンテンツコピー制御情報、その他コンテンツの属性情報などである。
【０１７１】
情報記録媒体４０１からピックアップ４０２を介して読み取られたデータは、ＲＦ回路部４０５においてゲイン調整などの信号処理がなされ、同期検出部４０６に入力される。同期検出４０６部は、記録信号中の同期信号（シンク）を検出し、検出信号を付加データ記録領域制御部４１１に出力する。付加データ記録領域制御部４１１は、同期検出部４０６から、入力される同期信号に基づいて、付加データの記録領域を判別し、判別情報に基づいて、スイッチ４１０を制御し、付加データのデコード処理を実行する付加データデコード部４１２に、付加データのデコードに必要な領域の変調データを入力する。
【０１７２】
付加データデコード部４１２は、入力される変調データに基づいて、付加データを取得するためのデコード処理を実行する。例えば、付加データが先に図１３を参照して説明した条件による変換テーブルの設定がなされた変調データである場合、付加データデコード部４１２は、入力される変調データから、付加情報ビット格納データ領域とその先行データ領域を含むデータ領域のパリティを検証し、パリティが偶数か奇数かを判別する。この判別処理によって、付加情報ビットの挿入位置に設定された付加情報ビットが［０］であるか［１］であるかを識別する。
【０１７３】
なお、前述したように、付加データのビット格納位置に設定するデータが特定のデータ、例えば［８６］のように、メイン変換テーブルとサブ変換テーブルにおけるコードワードの１の数が奇数と偶数、あるいは偶数と奇数の関係にあるデータを設定した構成においては、上述したように、付加情報ビットの挿入位置のコードワードがメイン変換テーブルから選択されたコードワードであるか、サブ変換テーブルから選択されたコードワードであるかを判別することなく、付加データ先行データ領域と付加データ挿入位置を含むトータルパリティの計算のみで、付加情報ビットの挿入位置に設定された付加情報ビットが［０］であるか［１］であるかを識別することができる。
【０１７４】
このような設定でない場合は、付加情報ビットの挿入位置の先行データ領域である直前データの状態、例えばパリティを検証し、パリティが偶数か奇数かを判別し、さらに、付加情報ビットの挿入位置のコードワードをＥＦＭＰｌｕｓ復調処理部から受領し、付加情報ビットの挿入位置のコードワードがメイン変換テーブルから選択されたコードワードであるか、サブ変換テーブルから選択されたコードワードであるかを判別して、これらの判別処理によって、付加情報ビットの挿入位置に設定された付加情報ビットが［０］であるか［１］であるかを識別する構成としてもよい。
【０１７５】
付加データデコード部４１２は、断続的に入力される付加データのデコードに必要な領域の変調データに基づいて、同様の処理を実行し、例えばｎビット情報の鍵データ、あるいは鍵生成情報、またはコンテンツ再生制御情報、コンテンツコピー制御情報、その他コンテンツの属性情報などの付加データを取得する。なお、この付加データは、データ記録処理装置の説明において述べたように、例えばＥＣＣ等のエラー訂正符号を含んでおり、付加データエラー訂正部４１３においてエラー訂正がなされた後、出力される。
【０１７６】
なお、付加データが例えばコンテンツの復号に適用する鍵情報である場合、付加データの出力先は、コンテンツの復号処理を実行する復号処理部となる。コンテンツの再生制御情報である場合は再生制御部となる。
【０１７７】
一方、付加データ以外の一般のデータは、情報記録媒体の読み取りデータ、すなわちレコーディングユニットが同期検出部からＥＦＭＰｌｕｓ復調部４０７に出力され、先に図１を参照して説明した逆のデータ変換が順次実行される。すなわち、レコーディングユニット（ＲＵＮ）１０７からデータフレーム１０１が復元される。
【０１７８】
この復調処理においては、メイン変換テーブル格納メモリ４０８に格納されたメイン変換テーブル、およびサブ変換テーブル格納メモリ４０９に格納されたサブ変換テーブルが適用され、１６ビットコードワードから、８ビットデータの逆変換が実行されることになる。
【０１７９】
復調データであるメインデータも、付加データと同様、例えばＥＣＣ等のエラー訂正符号を含んでおり、メインータエラー訂正部４１４においてエラー訂正がなされた後、出力される。
【０１８０】
なお、出力データが例えば暗号化コンテンツである場合、付加データとして出力される鍵生成情報に基づいて生成可能な暗号鍵を適用した復号処理が実行された後、ディスプレイ、スピーカ等の出力手段を介して出力される。
【０１８１】
次に、図１９を参照して付加情報読み取りを含む再生処理シーケンスについて説明する。図１９の処理は、図１８に示す再生処理装置において実行する処理である。
【０１８２】
ステップＳ３０１において、情報記録媒体からの読み取り信号に基づいてＲＦ信号が生成され、ステップＳ３０２において、ＲＦ信号に基づいて、ＥＦＭＰｌｕｓ復調処理が実行される。
【０１８３】
ステップＳ３０３において、付加情報格納領域であるか否かが判定される。付加情報格納領域は、例えば、先に図１５を参照して説明したように、データフレームにおける特定のデータ領域例えばリザーブ（ＲＳＶ）フィールドとして設定し、この領域に基づいて
判断することが可能である。あるいは、特定の復調データ、例えば図１４を参照して説明したように特定のデータ［８６］を付加情報格納領域に設定するデータとして構成し、復調結果において［８６］というデータが出現した場合に、付加情報格納領域であると判定してもよい。
【０１８４】
付加情報格納領域でない場合は、ＥＦＭＰｌｕｓ復調処理後のデータについて、ステップＳ３０４において、エラー訂正処理を実行し、ステップＳ３０５において、メインデータとして出力する。
【０１８５】
付加情報格納領域である場合は、ステップＳ３１１に進み、予め設定済みのテーブル選択条件（図１３参照）に基づいて付加情報格納位置のコードワードがメイン変換テーブルを適用したものか、またはサブ変換テーブルを適用したものかを判定し、さらに、付加情報格納位置の先行データ領域である直前データの状態、例えばパリティが偶数か奇数かを判定し、これらの判定結果に基づいて、付加情報格納位置に設定された付加情報構成ビットが［０］か［１］かを識別する。
【０１８６】
なお、前述したように、付加データのビット格納領域に設定するデータを特定のデータ、例えば［８６］のように、メイン変換テーブルとサブ変換テーブルにおけるコードワードの１の数が奇数と偶数、あるいは偶数と奇数の関係にあるデータを設定した構成においては、付加情報ビットの挿入位置のコードワードがメイン変換テーブルから選択されたコードワードであるか、サブ変換テーブルから選択されたコードワードであるかを判別することなく、付加データ先行データ領域である直前データと付加データ挿入位置を含むトータルパリティの計算のみで、付加情報ビットの挿入位置に設定された付加情報ビットが［０］であるか［１］であるかを識別することができる。
【０１８７】
ステップＳ３１１では、断続的に付加情報ビットを取得し、さらに、ステップＳ３１２において、エラー訂正処理を行って、ステップＳ３１３において付加データを出力する。
【０１８８】
［９．付加情報を入力ビット［８６］として設定した場合の具体例］
付加情報の構成ビットは、先に図１５を参照して説明したように、特定のデータ位置に設定し、そのデータ位置を識別して記録、再生を行う構成が可能である。
【０１８９】
さらに、付加情報の挿入部に設定するデータを特定のデータ、例えば［８６］というデータ、すなわち、８ビットデータとしての［０１０１０１１０］として設定することも可能である。このような構成とすることで、データ記録または再生の際に、［８６］＝［０１０１０１１０］というデータ（復調データ）の出現に基づいて付加情報であることが判別可能となる。さらに、［８６］のように、メイン変換テーブルとサブ変換テーブルにおけるコードワードの１の数が奇数と偶数、あるいは偶数と奇数の関係にあるデータを設定した構成においては、付加情報ビットの挿入位置のコードワードがメイン変換テーブルから選択されたコードワードであるか、サブ変換テーブルから選択されたコードワードであるかを判別することなく、付加データ先行データ領域である直前データと付加データ挿入位置を含むトータルパリティの計算のみで、付加情報ビットの挿入位置に設定された付加情報ビットが［０］であるか［１］であるかを識別することができる。
【０１９０】
図２０は、付加情報を特定入力データ、例えば［８６］として設定した場合の付加データ記録処理手順を説明するフローであり、図２１は、その再生処理フローである。以下、各処理フローについて説明する。なお、いずれも先に図１３を参照して説明した変換テーブル選択条件を適用した処理例を示している。
【０１９１】
まず、図２０の記録処理フローについて説明する。ステップＳ４０１において、エラー訂正符号化後の付加データを入力する。すなわち、暗号鍵情報などのｎビット情報である。
【０１９２】
ステップＳ４０２において、付加データの１ビットを抽出する。ステップＳ４０３において、抽出ビットが［０］であると判定すると、ステップＳ４０４において、付加データ挿入位置、すなわち［８６］のデータ挿入位置の直前までのデータに基づくパリティ（図１４参照）が偶数か否かが判定される。
【０１９３】
偶数パリティである場合は、図１３のテーブル選択条件に基づいて、［偶数パリティ］と［付加データビット＝０］の条件からサブ変換テーブルを適用することを決定し、ステップＳ４０６においてサブ変換テーブルに基づいて［８６］に対するコードワードが選択される。例えばステート１の場合には、図８に示すコードワード［０００００００１０００００１００］を、８ビットデータ［８６］＝［０１０１０１１０］に対する１６ビットコードワードとして選択する。
【０１９４】
奇数パリティである場合は、図１３のテーブル選択条件に基づいて、［奇数パリティ］と［付加データビット＝０］の条件からメイン変換テーブルを適用することを決定し、ステップＳ４０７においてメイン変換テーブルに基づいて［８６］に対するコードワードが選択される。例えばステート１の場合には、図７に示すコードワード［０００１０００００１０００１００］を、８ビットデータ［８６］＝［０１０１０１１０］に対する１６ビットコードワードとして選択する。
【０１９５】
一方、ステップＳ４０３において、付加データの抽出ビットが［１］であると判定した場合には、ステップＳ４０５において、付加データ挿入位置、すなわち［８６］のデータ挿入位置の直前までのデータに基づくパリティ（図１４参照）が偶数か否かが判定される。
【０１９６】
偶数パリティである場合は、図１３のテーブル選択条件に基づいて、［偶数パリティ］と［付加データビット＝１］の条件からメイン変換テーブルを適用することを決定し、ステップＳ４０７においてメイン変換テーブルに基づいて［８６］に対するコードワードが選択される。例えばステート１の場合には、図７に示すコードワード［０００１０００００１０００１００］を、８ビットデータ［８６］＝［０１０１０１１０］に対する１６ビットコードワードとして選択する。
【０１９７】
奇数パリティである場合は、図１３のテーブル選択条件に基づいて、［奇数パリティ］と［付加データビット＝１］の条件から、サブ変換テーブルを適用することを決定し、ステップＳ４０６においてサブ変換テーブルに基づいて［８６］に対するコードワードが選択される。例えばステート１の場合には、図８に示すコードワード［０００００００１０００００１００］を、８ビットデータ［８６］＝［０１０１０１１０］に対する１６ビットコードワードとして選択する。
【０１９８】
次に、ステップＳ４０８において、付加データの最終ビットまでの処理が終了したか否かを判定し、未処理ビットがある場合は、ステップＳ４０２以下の処理を繰り返し実行し、ステップＳ４０８において、付加データの最終ビットまでの処理が終了したと判定されると処理を終了する。
【０１９９】
次に、図２１を参照して、特定の復調データ、例えば［８６］を付加情報記録領域に格納するデータとして設定した場合のデータ再生処理手順について説明する。
【０２００】
ステップＳ５０１において、情報記録媒体からの読み取り信号に基づいてＲＦ信号が生成され、ステップＳ５０２において、ＲＦ信号に基づいて、ＥＦＭＰｌｕｓ復調処理が実行され、復調データとして［８６］＝［０１０１０１１０］が検出されると、ステップＳ５０３において、復調データとして［８６］＝［０１０１０１１０］が検出された時点におけるトータルパリティが偶数か奇数かを判別する。
【０２０１】
偶数パリティであると判断した場合は、ステップＳ５０４に進み、付加データとして［０］が設定されていると判定し、奇数パリティであると判断した場合は、ステップＳ５０５に進み、付加データとして［１］が設定されていると判定する。
【０２０２】
次に、ステップＳ５０６において、付加データの最終ビットまでの処理が終了したか否かを判定し、未処理ビットがある場合は、ステップＳ５０２以下の処理を繰り返し実行し、ステップＳ５０６において、付加データの最終ビットまでの処理が終了したと判定されると処理を終了する。
【０２０３】
なお、上述した実施例においては、パリティ情報を用いた例を中心として説明したが、先行するデータ領域の状態としては、その他の検出可能な様々な状態値の適用が可能である。すなわち、付加データから得られる状態であれば、パリティ以外の様々な情報を適用することが可能である。
【０２０４】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【０２０５】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【０２０６】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０２０７】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【０２０８】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２０９】
以上、説明したように、本発明の構成によれば、情報記録媒体に対する付加データの記録、例えばコンテンツの復号処理に適用する鍵情報、鍵生成情報、あるいはコンテンツ再生制御情報、コピー制御情報などの付加情報を記録する際、付加データの構成ビット情報［０］または［１］に応じて、変調コードの取得用テーブルとして設定されたメイン変換テーブルと、サブ変換テーブルとを切り替えて適用することにより、ビット情報［０］または［１］を格納することが可能となる。また再生処理においては、付加データの記録領域を含むデータ領域の状態値、例えばパリティを算出することで付加構成ビット情報［０］または［１］を取得することができ、例えば、コンテンツの復号処理に適用する鍵情報、鍵生成情報、あるいはコンテンツ再生制御情報、コピー制御情報などの付加情報を解析困難な態様で埋め込む必要のある場合において適用する情報記録処理装置、情報再生処理装置、情報記録媒体において適用可能である。
【０２１０】
本発明の構成によれば、例えば、付加データの記録処理において、付加データを挿入する位置の先行データ領域に基づくパリティ値を算出し、そのパリティ値が偶数であり、付加データのビット値が［０］である場合は、サブ変換テーブルからコードワードを選択する。付加データのビット値が［１］である場合は、メイン変換テーブルからコードワードを選択する。また、付加データを挿入する位置の先行データ領域に基づくパリティ値が奇数であり、付加データのビット値が［０］である場合は、メイン変換テーブルからコードワードを選択する。付加データのビット値が［１］である場合は、サブ変換テーブルからコードワードを選択する。コンテンツ再生時には、付加データの記録領域を含むデータ領域のパリティが偶数であるか奇数であるかを判別するのみで付加データのビット値検出が可能となり、例えばコンテンツの復号処理に適用する鍵情報、鍵生成情報、あるいはコンテンツ再生制御情報、コピー制御情報などの付加情報を解析困難な態様で埋め込む必要のある場合において適用する情報記録処理装置、情報再生処理装置、情報記録媒体において適用可能である。
【図面の簡単な説明】
【０２１１】
【図１】ＤＶＤ（Digital Versatile Disc）等の高密度情報記録媒体に対するデジタルデータの記録処理手順を説明する図である。
【図２】データフレームのデータ構成について説明する図である。
【図３】ＥＣＣフレームのデータ構成について説明する図である。
【図４】１６レコーディングフレームのデータ構成について説明する図である。
【図５】変調処理およびＮＲＺＩ（Non Return to Zero Inverted）変換処理を実行する装置構成を示す図である。
【図６】フィジカルセクタのデータ構成について説明する図である。
【図７】メイン変換テーブルの構成を示す図である。
【図８】サブ変換テーブルの構成を示す図である。
【図９】レコーディングフレームの８ビットを１６ビットコードワードに変換する処理を説明する図である。
【図１０】次ステートＳ（ｔ＋１）と、現コードワードＸ（ｔ）と、次コードワードＸ（ｔ＋１）との関係を説明する図である。
【図１１】シンクコードテーブルの構成について説明する図である。
【図１２】シンクフレームの生成処理シーケンスの一例を説明するフロー図である。
【図１３】変換テーブル選択条件の設定構成例について説明する図である。
【図１４】具体的な付加データの挿入例について説明する図である。
【図１５】具体的な付加情報格納位置の設定例について説明する図である。
【図１６】付加情報の挿入処理を行うシンクフレームの生成処理シーケンスについて説明するフロー図である。
【図１７】データ記録処理装置の構成、および処理について説明する図である。
【図１８】データ再生処理装置の構成、および処理について説明する図である。
【図１９】付加情報読み取りを含む再生処理シーケンスについて説明するフロー図である。
【図２０】付加情報を特定入力データ、例えば［８６］として設定した場合の付加データ記録処理手順を説明するフロー図である。
【図２１】付加情報を特定入力データ、例えば［８６］として設定した場合の付加データ再生処理手順を説明するフロー図である。
【符号の説明】
【０２１２】
１０１  データフレーム
１０２  スクランブルフレーム
１０３  ＥＣＣブロック
１０４  １６レコーディングフレーム
１０５  変調処理ＮＲＺＩ変換データ
１０６  １６フィジカルセクタ
１０７  レコーディングユニット（ＲＵＮ）
１１０  情報記録媒体
１５１  変調処理手段
１５２  ＮＲＺ変換手段
１５３  排他論理和回路
１５４  遅延手段
２１０  変換手段
２１１  メイン変換テーブル
２１２  サブ変換テーブル
２２０  遅延手段
３０１  情報記録媒体
３０２  ピックアップ
３０３  スピンドルモーター
３０４  サーボ回路
３０５  付加データエラー訂正符号化部
３０６  メインデータエラー訂正符号化部
３０７  付加データ記録領域制御部
３０８  スイッチ
３０９  ＥＦＭＰｌｕｓ変調・記録単位生成回路
３１０  メイン変換テーブル格納メモリ
３１１  サブ変換テーブル格納メモリ
３１２  変調コード選択部
３１３  記録信号処理回路
４０１  情報記録媒体
４０２  ピックアップ
４０３  スピンドルモーター
４０４  サーボ回路
４０５  ＲＦ回路部
４０６  同期検出部
４０７  ＥＦＭＰｌｕｓ復調処理部
４０８  メイン変換テーブル格納メモリ
４０９  サブ変換テーブル格納メモリ
４１０  スイッチ４１０
４１１  付加データ記録領域検出部
４１２  付加データデコード部
４１３  メインデータエラー訂正部
４１４  付加データエラー訂正部
【図１】
2005071489.tif 000003
【図２】
2005071489.tif 000004
【図３】
2005071489.tif 000005
【図４】
2005071489.tif 000006
【図５】
2005071489.tif 000007
【図６】
2005071489.tif 000008
【図７】
2005071489.tif 000009
【図８】
2005071489.tif 000010
【図９】
2005071489.tif 000011
【図１０】
2005071489.tif 000012
【図１１】
2005071489.tif 000013
【図１２】
2005071489.tif 000014
【図１３】
2005071489.tif 000015
【図１４】
2005071489.tif 000016
【図１５】
2005071489.tif 000017
【図１６】
2005071489.tif 000018
【図１７】
2005071489.tif 000019
【図１８】
2005071489.tif 000020
【図１９】
2005071489.tif 000021
【図２０】
2005071489.tif 000022
【図２１】
2005071489.tif 000023